(57)【要約】【課題】反射シートを背面側から支持する支持部の軽量化を図ることが可能な表示装置を提供する。【解決手段】このテレビジョン装置１００（表示装置）は、ＬＥＤ光源ユニット２４５とＬＥＤ光源ユニット２４５から出射される光を表示画面側である前面側に反射させる反射シート２４４とを含む表示部２と、表示部２の反射シート２４４を表示画面側とは反対の背面側から支持する枠形状の支持フレーム３とを備える。そして、枠形状の支持フレーム３は、ヒートシンク部材３１と、下側枠構成部材３２と、横側枠構成部材３３と、上側枠構成部材３４とを含み、それぞれ、ネジ３ａ〜３ｄにより締結されることにより互いに固定されている。【選択図】図４
2013122572.tif 000002
【特許請求の範囲】
【請求項１】
光源と、前記光源から出射される光を表示画面側である前面側に反射させる反射シートとを含む表示部と、
前記表示部の前記反射シートを前記表示画面側とは反対の背面側から支持する枠形状の支持部とを備え、
枠形状の前記支持部は、第１枠構成部材と、第２枠構成部材とを含み、
前記第１枠構成部材および前記第２枠構成部材は、第１締結部材により締結されることにより互いに固定されている、表示装置。
【請求項２】
枠形状の前記支持部は、第３枠構成部材と、第４枠構成部材とをさらに含み、
前記第１枠構成部材は、前記第２枠構成部材、前記第３枠構成部材および前記第４枠構成部材よりも熱伝導性に優れた材料により形成されている、請求項１に記載の表示装置。
【請求項３】
枠形状の前記支持部の背面側に配置され、前記表示部の背面側を覆う金属製のリアフレームをさらに備え、
前記第１枠構成部材は、金属製の前記リアフレームに当接する第１絞り部を有している、請求項２に記載の表示装置。
【請求項４】
金属製の前記リアフレームの背面側に配置され、前記リアフレームの背面の一部を露出させるように前記リアフレームの背面を覆うカバー部材をさらに備え、
前記第１枠構成部材は、前記リアフレームの背面の前記カバー部材から露出された部分の前面に当接している、請求項３に記載の表示装置。
【請求項５】
前記第１枠構成部材は、前記第２枠構成部材、前記第３枠構成部材および前記第４枠構成部材よりも大きな厚みを有する金属製の板材により形成されている、請求項２〜４のいずれか１項に記載の表示装置。
【請求項６】
前記第１枠構成部材は、前記第２枠構成部材、前記第３枠構成部材および前記第４枠構成部材より、短手方向において大きな長さを有するように形成されている、請求項２〜５のいずれか１項に記載の表示装置。
【請求項７】
前記第１枠構成部材、前記第２枠構成部材、前記第３枠構成部材および前記第４枠構成部材が互いに固定される４つの固定部のうち少なくとも１つの前記固定部において固定される２つの枠構成部材の少なくとも一方に第２絞り部が設けられており、
前記第２絞り部が設けられた一方の枠構成部材と、前記一方の枠構成部材に固定される他方の枠構成部材とは、前記第２絞り部において、互いに当接するとともに締結部材により互いに固定されている、請求項２〜６のいずれか１項に記載の表示装置。
【請求項８】
前記第１枠構成部材および前記第２枠構成部材のいずれか一方に第１フック部が設けられるとともに、前記第１枠構成部材および前記第２枠構成部材の他方に第１フック係合部が設けられており、
前記第１枠構成部材および前記第２枠構成部材は、前記第１フック部および前記第１フック係合部が係合した状態で前記第１締結部材により締結されることにより互いに固定されている、請求項１に記載の表示装置。
【請求項９】
前記第１フック部および前記第１フック係合部の係合部分に対して前記第１枠構成部材の長手方向と直交する方向に間隔を隔てて配置された第１締結部において、前記第１締結部材により締結されることにより、前記第１枠構成部材および前記第２枠構成部材が互いに固定されている、請求項８に記載の表示装置。
【請求項１０】
前記第１締結部材は、ネジを含み、
前記第１締結部は、ネジ締結部を含み、
前記第１フック部および前記第１フック係合部は、前記第１枠構成部材および前記第２枠構成部材が前記ネジ締結部において前記ネジによりネジ止めされる方向に係合するように形成されている、請求項９に記載の表示装置。
【請求項１１】
前記第１フック部は、前記第１枠構成部材の長手方向に所定の幅を有するように延びて形成されており、
前記第１締結部は、前記第１フック部に対して前記第１枠構成部材の短手方向に間隔を隔てた位置で、かつ、前記第１フック部の前記所定の幅の一方端と他方端との間に配置されている、請求項９または１０に記載の表示装置。
【請求項１２】
前記枠形状の支持部は、第３枠構成部材と第４枠構成部材とをさらに含み、
前記第２枠構成部材および前記第３枠構成部材のいずれか一方に第２フック部が設けられるとともに、前記第２枠構成部材および前記第３枠構成部材の他方に第２フック係合部が設けられており、
前記第３枠構成部材および前記第４枠構成部材のいずれか一方に第３フック部が設けられるとともに、前記第３枠構成部材および前記第４枠構成部材の他方に第３フック係合部が設けられており、
前記第４枠構成部材および前記第１枠構成部材のいずれか一方に第４フック部が設けられるとともに、前記第４枠構成部材および前記第１枠構成部材の他方に第４フック係合部が設けられており、
前記第３枠構成部材および前記第４枠構成部材は、前記第３フック部および前記第３フック係合部が係合した状態で第２締結部材により締結されることにより互いに固定されており、
前記第４枠構成部材および前記第１枠構成部材は、前記第４フック部および前記第４フック係合部が係合した状態で第３締結部材により締結されることにより互いに固定されており、
前記第２枠構成部材および前記第３枠構成部材は、前記第２フック部および前記第２フック係合部が係合した状態で第４締結部材により締結されることにより互いに固定されている、請求項８〜１１のいずれか１項に記載の表示装置。
【請求項１３】
前記第１フック部および前記第４フック部は、前記第１枠構成部材に設けられており、
前記第２フック部および前記第３フック部は、前記第３枠構成部材に設けられており、
前記第１フック係合部および前記第２フック係合部は、前記第２枠構成部材に設けられており、
前記第３フック係合部および前記第４フック係合部は、前記第４枠構成部材に設けられている、請求項１２に記載の表示装置。
【請求項１４】
前記第１枠構成部材は、複数の第１凹部を有し、
前記第２枠構成部材は、前記複数の第１凹部に対応するようにそれぞれ設けられた複数の第１凸部を有し、
前記第１枠構成部材および前記第２枠構成部材は、前記複数の第１凹部と前記複数の第１凸部とが嵌合した状態で締結部において前記第１締結部材により締結されることにより互いに固定されている、請求項１に記載の表示装置。
【請求項１５】
嵌合している前記複数の第１凹部および前記複数の第１凸部のうち少なくとも１組は、前記第１凹部の中心と前記第１凸部の中心とが、嵌合方向から見て互いにずれた状態で嵌合している、請求項１４に記載の表示装置。
【請求項１６】
前記第１枠構成部材は、前記第２枠構成部材に対する位置決めを行うための第１位置決め部をさらに有し、
前記第２枠構成部材は、前記第１枠構成部材に対する位置決めを行うための第２位置決め部をさらに有し、
前記複数の第１凹部は、前記第１枠構成部材の前記第１位置決め部の周りに所定の間隔を隔てて配置されており、
前記複数の第１凸部は、前記第２枠構成部材の前記第２位置決め部の周りに所定の間隔を隔てて配置されている、請求項１４または１５に記載の表示装置。
【請求項１７】
前記複数の第１凹部は、嵌合方向から見て、配置位置が多角形状になるように３つ以上配置されており、
前記複数の第１凸部は、前記第１凹部に対応する多角形状の配置位置になるように３つ以上配置されている、請求項１４〜１６のいずれか１項に記載の表示装置。
【請求項１８】
前記枠形状の支持部は、第３枠構成部材と第４枠構成部材とをさらに含み、
前記第３枠構成部材は、複数の第２凹部を有し、
前記第４枠構成部材は、前記複数の第２凹部に対応するようにそれぞれ設けられた複数の第２凸部を有し、
前記第３枠構成部材および前記第４枠構成部材は、前記複数の第２凹部と前記複数の第２凸部とが互いに隙間を有して嵌合した状態で第２締結部材により締結されることにより互いに固定されている、請求項１４〜１７のいずれか１項に記載の表示装置。
【請求項１９】
前記第１枠構成部材は、前記複数の第１凹部に対して所定の方向において大きな長さを有する長孔形状の複数の第３凹部を有し、
前記第４枠構成部材は、前記複数の第３凹部に対応するようにそれぞれ設けられた複数の第３凸部を有し、
前記第３枠構成部材は、前記複数の第２凹部に対して所定の方向において大きな長さを有する長孔形状の複数の第４凹部を有し、
前記第２枠構成部材は、前記複数の第４凹部に対応するようにそれぞれ設けられた複数の第４凸部を有し、
前記第１枠構成部材および前記第４枠構成部材は、長孔形状の前記複数の第３凹部と前記複数の第３凸部とが互いに隙間を有して嵌合した状態で第３締結部材により締結されることにより互いに固定されており、
前記第３枠構成部材および前記第２枠構成部材は、長孔形状の前記複数の第４凹部と前記複数の第４凸部とが互いに隙間を有して嵌合した状態で第４締結部材により締結されることにより互いに固定されている、請求項１８に記載の表示装置。
【請求項２０】
前記表示装置は、テレビジョン装置により構成されている、請求項１〜１９のいずれか１項に記載の表示装置。
【発明の詳細な説明】
【技術分野】
【０００１】
この発明は、表示装置に関し、特に、表示部を備えた表示装置に関する。
【背景技術】
【０００２】
従来、表示部を備えた表示装置が知られている（たとえば、特許文献１参照）。
【０００３】
上記特許文献１には、表示パネルと、表示パネルに光を照射する光源部と、光源部からの光を表示パネル側に反射する反射シートと、表示パネルの背面側に配置され、反射シートを背面側から支持する箱型の下部収納容器とを備える表示装置が開示されている。この箱型の下部収納容器は、３つの金属製の部材により構成されている。
【先行技術文献】
【特許文献】
【０００４】
【特許文献１】特開２０１１−４０３８８号公報
【発明の概要】
【発明が解決しようとする課題】
【０００５】
しかしながら、上記特許文献１の表示装置では、３つの金属製の部材により構成された箱型の下部収納容器により反射シートの背面全体を覆うため、下部収納容器が大きくなり重くなってしまうという不都合がある。このため、反射シートを背面側から支持する下部収納容器（支持部）の軽量化を図ることが困難であるという問題点がある。
【０００６】
この発明は、上記のような課題を解決するためになされたものであり、この発明の１つの目的は、反射シートを背面側から支持する支持部の軽量化を図ることが可能な表示装置を提供することである。
【課題を解決するための手段】
【０００７】
この発明の一の局面による表示装置は、光源と、光源から出射される光を表示画面側である前面側に反射させる反射シートとを含む表示部と、表示部の反射シートを表示画面側とは反対の背面側から支持する枠形状の支持部とを備え、枠形状の支持部は、第１枠構成部材と、第２枠構成部材とを含み、第１枠構成部材および第２枠構成部材は、第１締結部材により締結されることにより互いに固定されている。
【０００８】
この発明の一の局面による表示装置では、上記のように、反射シートを背面側から支持する支持部を枠形状にすることによって、反射シートの背面側全体を覆う場合と異なり支持部の表面積を小さくすることができるので、反射シートを背面側から支持する支持部の軽量化を図ることができる。これにより、支持部が反射シートの背面側全体を覆う場合に比べて、表示装置の軽量化を図ることができる。また、枠形状の支持部が、第１枠構成部材と、第２枠構成部材とにより構成されていることによって、１枚の材料を中抜きすることにより枠形状の支持部を一体的に形成する場合に比べて、中抜きした分の材料のロスを減少させることができる。
【０００９】
上記一の局面による表示装置において、好ましくは、枠形状の支持部は、第３枠構成部材と、第４枠構成部材とをさらに含み、第１枠構成部材は、第２枠構成部材、第３枠構成部材および第４枠構成部材よりも熱伝導性に優れた材料により形成されている。このように構成すれば、熱伝導性に優れた材料により形成された第１枠構成部材により、光源などから発生する熱を効果的に放熱することができる。
【００１０】
この場合、好ましくは、枠形状の支持部の背面側に配置され、表示部の背面側を覆う金属製のリアフレームをさらに備え、第１枠構成部材は、金属製のリアフレームに当接する第１絞り部を有している。このように構成すれば、光源などから発生する熱を、第１枠構成部材から金属製のリアフレームを介して効果的に外部に放熱することができる。
【００１１】
上記表示装置が金属製のリアフレームを備える構成において、好ましくは、金属製のリアフレームの背面側に配置され、リアフレームの背面の一部を露出させるようにリアフレームの背面を覆うカバー部材をさらに備え、第１枠構成部材は、リアフレームの背面のカバー部材から露出された部分の前面に当接している。このように構成すれば、光源などから発生する熱を、第１枠構成部材からリアフレームのカバー部材から露出された部分を介して効率よく外部に放熱することができる。
【００１２】
上記枠形状の支持部が第３枠構成部材と第４枠構成部材とを含む構成において、好ましくは、第１枠構成部材は、第２枠構成部材、第３枠構成部材および第４枠構成部材よりも大きな厚みを有する金属製の板材により形成されている。このように構成すれば、第１枠構成部材の熱容量を大きくすることができるので、光源などから発生する熱を効果的に放熱することができる。また、第２枠構成部材、第３枠構成部材および第４枠構成部材が、第１枠構成部材より小さな厚みになるので、支持部の軽量化をさらに図ることができる。
【００１３】
上記枠形状の支持部が第３枠構成部材と第４枠構成部材とを含む構成において、好ましくは、第１枠構成部材は、第２枠構成部材、第３枠構成部材および第４枠構成部材より、短手方向において大きな長さを有するように形成されている。このように構成すれば、第１枠構成部材の熱容量を容易に大きくすることができる。また、第１枠構成部材の表面積を大きくすることができる。これにより、光源などから発生する熱をより効果的に放熱することができる。
【００１４】
上記枠形状の支持部が第３枠構成部材と第４枠構成部材とを含む構成において、好ましくは、第１枠構成部材、第２枠構成部材、第３枠構成部材および第４枠構成部材が互いに固定される４つの固定部のうち少なくとも１つの固定部において固定される２つの枠構成部材の少なくとも一方に第２絞り部が設けられており、第２絞り部が設けられた一方の枠構成部材と、一方の枠構成部材に固定される他方の枠構成部材とは、第２絞り部において、互いに当接するとともに締結部材により互いに固定されている。このように構成すれば、第１枠構成部材、第２枠構成部材、第３枠構成部材および第４枠構成部材が互いに固定される４つの固定部のうち少なくとも１つの固定部において互いに固定される２つの枠構成部材の当接面積を小さくすることができるので、表示装置がスピーカを備えている場合に、スピーカから出力される音に起因する振動を抑制することができる。
【００１５】
上記一の局面による表示装置において、好ましくは、第１枠構成部材および第２枠構成部材のいずれか一方に第１フック部が設けられるとともに、第１枠構成部材および第２枠構成部材の他方に第１フック係合部が設けられており、第１枠構成部材および第２枠構成部材は、第１フック部および第１フック係合部が係合した状態で第１締結部材により締結されることにより互いに固定されている。このように構成すれば、第１フック部および第１フック係合部の係合により、第１締結部材による締結力に起因して締結位置以外の位置で第１枠構成部材が第２枠構成部材に対して浮き上がって傾くことが抑制されるので、反射シートを支持する枠形状の支持部により反射シートが過度に圧迫されてしまうことを抑制することができる。これにより、反射シートの前面側に配置された導光板が局所的に圧迫されるのを抑制することができるので、白点ムラの発生を抑制することができる。
【００１６】
上記第１フック部および第１フック係合部を設ける構成において、好ましくは、第１フック部および第１フック係合部の係合部分に対して第１枠構成部材の長手方向と直交する方向に間隔を隔てて配置された第１締結部において、第１締結部材により締結されることにより、第１枠構成部材および第２枠構成部材が互いに固定されている。このように構成すれば、第１締結部に対して第１枠構成部材の長手方向と直交する方向に間隔を隔てて配置された第１フック部および第１フック係合部の係合による係合力により、第１締結部材による締結力に起因して第１締結部以外の位置で第１枠構成部材が第２枠構成部材に対して浮き上がって傾く方向の力を相殺することができるので、容易に、第１枠構成部材が第２枠構成部材に対して浮き上がって傾くことを抑制することができる。
【００１７】
この場合、好ましくは、第１締結部材は、ネジを含み、第１締結部は、ネジ締結部を含み、第１フック部および第１フック係合部は、第１枠構成部材および第２枠構成部材がネジ締結部においてネジによりネジ止めされる方向に係合するように形成されている。このように構成すれば、ネジによるネジ止めにより第１枠構成部材が第２枠構成部材に対して浮き上がる方向とは逆方向に第１フック部および第１フック係合部を係合させることができるので、第１枠構成部材が第２枠構成部材に対して浮き上がって傾くことをより容易に抑制することができる。
【００１８】
上記第１枠構成部材および第２枠構成部材が第１締結部において第１締結部材により締結される構成において、好ましくは、第１フック部は、第１枠構成部材の長手方向に所定の幅を有するように延びて形成されており、第１締結部は、第１フック部に対して第１枠構成部材の短手方向に間隔を隔てた位置で、かつ、第１フック部の所定の幅の一方端と他方端との間に配置されている。このように構成すれば、第１枠構成部材が第２枠構成部材に対して浮き上がりやすい第１締結部に対して第１枠構成部材の短手方向に離れた位置を第１フック部の係合により直接抑えることができるので、第１枠構成部材が第２枠構成部材に対して捩れて浮き上がることを抑えることができる。これにより、第１枠構成部材が第２枠構成部材に対して浮き上がって傾くことをより容易に抑制することができる。また、第１フック部を第１枠構成部材の長手方向に延びるように形成することによって、第１フック部の係合部分の第１枠構成部材の長手方向に沿った方向の幅を大きくすることができるので、第１枠構成部材が第２枠構成部材に対して浮き上がろうとする力を安定して相殺することができる。
【００１９】
上記第１フック部および第１フック係合部を設ける構成において、好ましくは、枠形状の支持部は、第３枠構成部材と第４枠構成部材とをさらに含み、第２枠構成部材および第３枠構成部材のいずれか一方に第２フック部が設けられるとともに、第２枠構成部材および第３枠構成部材の他方に第２フック係合部が設けられており、第３枠構成部材および第４枠構成部材のいずれか一方に第３フック部が設けられるとともに、第３枠構成部材および第４枠構成部材の他方に第３フック係合部が設けられており、第４枠構成部材および第１枠構成部材のいずれか一方に第４フック部が設けられるとともに、第４枠構成部材および第１枠構成部材の他方に第４フック係合部が設けられており、第３枠構成部材および第４枠構成部材は、第３フック部および第３フック係合部が係合した状態で第２締結部材により締結されることにより互いに固定されており、第４枠構成部材および第１枠構成部材は、第４フック部および第４フック係合部が係合した状態で第３締結部材により締結されることにより互いに固定されており、第２枠構成部材および第３枠構成部材は、第２フック部および第２フック係合部が係合した状態で第４締結部材により締結されることにより互いに固定されている。このように構成すれば、第４フック部および第４フック係合部の係合により、第３締結部材による締結力に起因して締結位置以外の位置で第１枠構成部材が第４枠構成部材に対して浮き上がって傾くことが抑制され、第２フック部および第２フック係合部の係合により、第４締結部材による締結力に起因して締結位置以外の位置で第３枠構成部材が第２枠構成部材に対して浮き上がって傾くことが抑制され、第３フック部および第３フック係合部の係合により、第２締結部材による締結力に起因して締結位置以外の位置で第３枠構成部材が第４枠構成部材に対して浮き上がって傾くことが抑制されるので、第１枠構成部材、第２枠構成部材、第３枠構成部材および第４枠構成部材を含む枠形状の支持部により反射シートが過度に圧迫されてしまうことを抑制することができる。
【００２０】
この場合、好ましくは、第１フック部および第４フック部は、第１枠構成部材に設けられており、第２フック部および第３フック部は、第３枠構成部材に設けられており、第１フック係合部および第２フック係合部は、第２枠構成部材に設けられており、第３フック係合部および第４フック係合部は、第４枠構成部材に設けられている。このように構成すれば、１つの枠構成部材に対する２つのフック係合部分を同様の機構にすることができるので、枠形状の支持部を容易に組み立てることができる。
【００２１】
上記一の局面による表示装置において、好ましくは、第１枠構成部材は、複数の第１凹部を有し、第２枠構成部材は、複数の第１凹部に対応するようにそれぞれ設けられた複数の第１凸部を有し、第１枠構成部材および第２枠構成部材は、複数の第１凹部と複数の第１凸部とが嵌合した状態で締結部において第１締結部材により締結されることにより互いに固定されている。このように構成すれば、嵌合している複数の第１凹部および複数の第１凸部のうち少なくとも１組の嵌合部分において、第１凹部および第１凸部の大きさおよびピッチの公差（寸法ばらつき）に起因する位置ずれなどにより、第１凹部および第１凸部の隙間（嵌合隙間）が小さくなるかまたは隙間がなくなる部分が局所的に生じるので、第１枠構成部材が第２枠構成部材に対してずれて移動することを抑制することができる。これにより、第１枠構成部材が第２枠構成部材に対して第１締結部材を中心として回動（傾斜）して枠形状の支持部が平行四辺形状などになることを抑制することができるので、枠形状の支持部により表示部を安定して支持することができる。
【００２２】
この場合、好ましくは、嵌合している複数の第１凹部および複数の第１凸部のうち少なくとも１組は、第１凹部の中心と第１凸部の中心とが、嵌合方向から見て互いにずれた状態で嵌合している。このように構成すれば、第１凹部および第１凸部の隙間が小さくなるかまたは隙間がなくなる部分が生じやすいので、第１枠構成部材が第２枠構成部材に対して回動（傾斜）することを容易に抑制することができる。
【００２３】
上記第１枠構成部材が複数の第１凹部を有する構成において、好ましくは、第１枠構成部材は、第２枠構成部材に対する位置決めを行うための第１位置決め部をさらに有し、第２枠構成部材は、第１枠構成部材に対する位置決めを行うための第２位置決め部をさらに有し、複数の第１凹部は、第１枠構成部材の第１位置決め部の周りに所定の間隔を隔てて配置されており、複数の第１凸部は、第２枠構成部材の第２位置決め部の周りに所定の間隔を隔てて配置されている。このように構成すれば、第１枠構成部材および第２枠構成部材を第１位置決め部および第２位置決め部により位置決めして、複数の第１凹部および複数の第１凸部を容易に嵌合させることができる。
【００２４】
上記第１枠構成部材が複数の第１凹部を有する構成において、好ましくは、複数の第１凹部は、嵌合方向から見て、配置位置が多角形状になるように３つ以上配置されており、複数の第１凸部は、第１凹部に対応する多角形状の配置位置になるように３つ以上配置されている。このように構成すれば、多角形状に配置された複数の第１凹部および複数の第１凸部のピッチの公差（寸法ばらつき）が生じる方向を分散させることができるので、第１枠構成部材の第２枠構成部材に対する回動を効果的に抑制することができる。
【００２５】
上記第１枠構成部材が複数の第１凹部を有する構成において、好ましくは、枠形状の支持部は、第３枠構成部材と第４枠構成部材とをさらに含み、第３枠構成部材は、複数の第２凹部を有し、第４枠構成部材は、複数の第２凹部に対応するようにそれぞれ設けられた複数の第２凸部を有し、第３枠構成部材および第４枠構成部材は、複数の第２凹部と複数の第２凸部とが互いに隙間を有して嵌合した状態で第２締結部材により締結されることにより互いに固定されている。このように構成すれば、第１枠構成部材、第２枠構成部材、第３枠構成部材および第４枠構成部材を含む枠形状の支持部において、第１枠構成部材が第２枠構成部材に対して回動（傾斜）して枠形状の支持部が平行四辺形状などになることを抑制し、第３枠構成部材が第４枠構成部材に対して回動（傾斜）して枠形状の支持部が平行四辺形状などになることを抑制することができるので、枠形状の支持部により表示部をより安定して支持することができる。
【００２６】
この場合、好ましくは、第１枠構成部材は、複数の第１凹部に対して所定の方向において大きな長さを有する長孔形状の複数の第３凹部を有し、第４枠構成部材は、複数の第３凹部に対応するようにそれぞれ設けられた複数の第３凸部を有し、第３枠構成部材は、複数の第２凹部に対して所定の方向において大きな長さを有する長孔形状の複数の第４凹部を有し、第２枠構成部材は、複数の第４凹部に対応するようにそれぞれ設けられた複数の第４凸部を有し、第１枠構成部材および第４枠構成部材は、長孔形状の複数の第３凹部と複数の第３凸部とが互いに隙間を有して嵌合した状態で第３締結部材により締結されることにより互いに固定されており、第３枠構成部材および第２枠構成部材は、長孔形状の複数の第４凹部と複数の第４凸部とが互いに隙間を有して嵌合した状態で第４締結部材により締結されることにより互いに固定されている。このように構成すれば、第３凹部および第３凸部の大きさおよびピッチの公差（寸法ばらつき）を長孔形状の第３凹部により許容することができるので、第３凹部および第３凸部を確実に嵌合させることができる。また、第４凹部および第４凸部の大きさおよびピッチの公差（寸法ばらつき）を長孔形状の第４凹部により許容することができるので、第４凹部および第４凸部を確実に嵌合させることができる。これにより、第１枠構成部材、第２枠構成部材、第３枠構成部材および第４枠構成部材を含む枠形状の支持部を容易に組み立てることができる。
【００２７】
上記一の局面による表示装置において、好ましくは、表示装置は、テレビジョン装置により構成されている。このように構成すれば、反射シートを背面側から支持する支持部の軽量化を図ることが可能なテレビジョン装置を提供することができる。
【発明の効果】
【００２８】
本発明によれば、上記のように、反射シートを背面側から支持する支持部の軽量化を図ることができる。
【図面の簡単な説明】
【００２９】
【図１】本発明の一実施形態によるテレビジョン装置の前方から見た全体斜視図である。
【図２】本発明の一実施形態によるテレビジョン装置の後方から見た全体斜視図である。
【図３】本発明の一実施形態によるテレビジョン装置の表示部の構成を示した分解斜視図である。
【図４】本発明の一実施形態による支持フレームの構成を示した正面図である。
【図５】本発明の一実施形態による支持フレームのヒートシンク部材を示した正面図である。
【図６】本発明の一実施形態による支持フレームの下側枠構成部材を示した正面図である。
【図７】本発明の一実施形態による支持フレームの横側枠構成部材を示した正面図である。
【図８】本発明の一実施形態による支持フレームの上側枠構成部材を示した正面図である。
【図９】本発明の一実施形態による支持フレームのフックの係合部分の後方から見た拡大斜視図である。
【図１０】本発明の一実施形態による支持フレームの嵌合部分を示した拡大正面図である。
【図１１】図１０の２００−２００線に沿った断面図である。
【図１２】図１０の３００−３００線に沿った断面図である。
【図１３】図４の４００−４００線に沿った断面図である。
【図１４】図４の５００−５００線に沿った断面図である。
【図１５】図４の６００−６００線に沿った断面図である。
【図１６】ダボ穴とダボの嵌合を説明するための正面図である。
【図１７】ダボが公差により大きくなった場合の嵌合を説明するための正面図である。
【図１８】ダボが公差により位置がずれた場合の嵌合を説明するための正面図である。
【図１９】本発明の一実施形態の第１変形例による支持フレームの構成を示した正面図である。
【図２０】本発明の一実施形態の第２変形例による支持フレームの構成を示した正面図である。
【発明を実施するための形態】
【００３０】
以下、本発明の実施形態を図面に基づいて説明する。
【００３１】
図１〜図１８を参照して、本発明の一実施形態によるテレビジョン装置１００の構成について説明する。なお、テレビジョン装置１００は、本発明の「表示装置」の一例である。
【００３２】
本発明の一実施形態によるテレビジョン装置１００は、図３に示すように、樹脂製のフロントキャビネット１と、表示部２と、金属製の支持フレーム３と、金属製のリアフレーム４とを備えている。また、テレビジョン装置１００は、図２に示すように、回路基板５と、カバー部材６と、スタンド７と、電源コード８とを備えている。なお、支持フレーム３は、本発明の「支持部」の一例である。
【００３３】
フロントキャビネット１は、図１に示すように、前面視において矩形の枠形状を有している。また、フロントキャビネット１は、ポリスチレン等の樹脂で形成されている。また、フロントキャビネット１の後面（Ｙ２方向側面）には、リアフレーム４を取り付けるためのネジ穴（図示せず）が設けられている。
【００３４】
表示部２は、図３に示すように、ベゼル２１と、表示パネル２２と、樹脂フレーム２３と、バックライト部２４とを含んでいる。ベゼル２１は、フロントキャビネット１の後側（Ｙ２方向側）に配置され、表示パネル２２を前側（Ｙ１方向側）から支持している。また、ベゼル２１は、４つのベゼル構成部２１ａ〜２１ｄを含み、これらが互いに組み合わされて、前面視において矩形の枠形状に形成されている。
【００３５】
表示パネル２２は、ベゼル２１の後側（Ｙ２方向側）に配置されている。また、表示パネル２２は、前側（Ｙ１方向側）の画面にテレビジョン放送の映像を表示するように構成されている。樹脂フレーム２３は、表示パネル２２を後側（Ｙ２方向側）から支持している。また、樹脂フレーム２３は、前面視において矩形の枠形状を有している。
【００３６】
バックライト部２４は、表示パネル２２の後側（Ｙ２方向側）の面に向けて光を照射するように構成されている。これにより、表示パネル２２が、明るく、かつ、鮮明な画像を表示することが可能に構成されている。バックライト部２４は、図３に示すように、前側（Ｙ１方向側）から順に配置された、プリズムシート２４１と、拡散シート２４２と、導光板２４３と、反射シート２４４とを含んでいる。また、バックライト部２４は、導光板２４３のＸ２方向側の側面に配置されたＬＥＤ（発光ダイオード）光源ユニット２４５を含んでいる。また、バックライト部２４は、ＬＥＤ光源ユニット２４５からの光が、Ｘ２方向側から導光板２４３内に入射して、反射シート２４４による多重反射を繰り返しながら導光板２４３の前側（Ｙ１方向側）から拡散シート２４２およびプリズムシート２４１を介して表示パネル２２に向けて光が出射されるように構成されている。ＬＥＤ光源ユニット２４５は、上下方向（Ｚ方向）に配列された複数のＬＥＤ素子２４５ａ（図１０および図１１参照）を有している。また、ＬＥＤ光源ユニット２４５は、図示しない放熱テープにより、支持フレーム３の後述するヒートシンク部材３１に取り付けられている。なお、ＬＥＤ光源ユニット２４５は、本発明の「光源」の一例である。
【００３７】
ここで、本実施形態では、支持フレーム３は、図３に示すように、表示部２（反射シート２４４）を背面側（Ｙ２方向側）から支持している。また、支持フレーム３は、ヒートシンク部材３１と、下側枠構成部材３２と、横側枠構成部材３３と、上側枠構成部材３４とを含んでいる。また、支持フレーム３は、図４に示すように、前面視において矩形（長方形）の枠形状を有している。また、支持フレーム３は、矩形形状（長方形形状）の四辺にそれぞれ配置されたヒートシンク部材３１、下側枠構成部材３２、横側枠構成部材３３および上側枠構成部材３４が互いに固定されて枠形状に形成されている。なお、ヒートシンク部材３１および下側枠構成部材３２は、それぞれ、本発明の「第１枠構成部材」および「第２枠構成部材」の一例であり、横側枠構成部材３３および上側枠構成部材３４は、それぞれ、本発明の「第３枠構成部材」および「第４枠構成部材」の一例である。
【００３８】
支持フレーム３および樹脂フレーム２３は、バックライト部２４を挟み込んだ状態で外周付近において嵌合して互いに固定されている。また、支持フレーム３は、図示しないネジによりベゼル２１に固定されている。また、支持フレーム３は、表示部２とともにフロントキャビネット１およびリアフレーム４の間に挟みこまれてフロントキャビネット１に固定されている。
【００３９】
ヒートシンク部材３１は、図４に示すように、枠形状の支持フレーム３のＬＥＤ光源ユニット２４５が配置される側（Ｘ２方向側）に設けられている。また、ヒートシンク部材３１は、下側枠構成部材３２、横側枠構成部材３３および上側枠構成部材３４を構成するＳＥＣＣ（電気亜鉛めっき鋼板）よりも放熱性に優れたアルミニウムまたはアルミニウム合金により形成されている。また、ヒートシンク部材３１は、図１１に示すように、厚みｔ１（たとえば、１ｍｍ）を有する板材により形成されている。言い換えると、ヒートシンク部材３１は、下側枠構成部材３２の厚みｔ２、横側枠構成部材３３の厚みｔ２、および、上側枠構成部材３４の厚みｔ２より、大きな厚みｔ１を有するように形成されている。また、ヒートシンク部材３１は、表示部２（反射シート２４４）を支持するとともに、ＬＥＤ光源ユニット２４５から発生する熱を放熱するように構成されている。これにより、反射シート２４４を支持する枠形状の支持フレーム３のうちの一部を、ＬＥＤ光源ユニット２４５から発生する熱を放熱するヒートシンクとしても流用することができるので、ＬＥＤ光源ユニット２４５から発生する熱を放熱する専用のヒートシンク部材を別途設ける必要がない。また、ヒートシンク部材３１は、図５に示すように、上下方向（Ｚ方向）に延びるように形成されている。また、ヒートシンク部材３１は、短手方向（Ｘ方向）において、下側枠構成部材３２の短手方向（Ｚ方向）の長さＬ２、横側枠構成部材３３の短手方向（Ｘ方向）の長さＬ３、および、上側枠構成部材３４の短手方向（Ｚ方向）の長さＬ４より、大きな長さＬ１を有するように形成されている。
【００４０】
また、ヒートシンク部材３１は、絞り部３１１ａおよび３１１ｂと、ネジ挿入穴３１２ａおよび３１２ｂと、治具穴３１３ａおよび３１３ｂと、ダボ穴３１４ａ〜３１４ｆと、フック３１５ａおよび３１５ｂと、光源取付部３１６と、絞り部３１７と、ネジ穴３１８とを有している。なお、絞り部３１１ａおよび３１１ｂは、本発明の「第２絞り部」の一例である。また、ネジ挿入穴３１２ａは、本発明の「第１締結部」および「ネジ締結部」の一例である。また、治具穴３１３ａは、本発明の「第１位置決め部」の一例である。また、ダボ穴３１４ａ〜３１４ｃは、本発明の「第１凹部」の一例であり、ダボ穴３１４ｄ〜３１４ｆは、本発明の「第３凹部」の一例である。また、フック３１５ａおよび３１５ｂは、それぞれ、本発明の「第１フック部」および「第４フック部」の一例である。また、絞り部３１７は、本発明の「第１絞り部」の一例である。
【００４１】
絞り部３１１ａ（３１１ｂ）は、図５に示すように、ヒートシンク部材３１の下側（Ｚ２方向側）（上側（Ｚ１方向側））に配置されている。また、絞り部３１１ａ（３１１ｂ）は、図１１および図１２に示すように、下側枠構成部材３２（上側枠構成部材３４）側（Ｙ２方向側）に突出するように形成されている。
【００４２】
ネジ挿入穴３１２ａ（３１２ｂ）は、図５に示すように、絞り部３１１ａ（３１１ｂ）の右下側（Ｘ２方向およびＺ２方向側）（右上側（Ｘ２方向およびＺ１方向側））に配置されている。また、ネジ挿入穴３１２ａ（３１２ｂ）は、フック３１５ａ（３１５ｂ）に対してＸ２方向に間隔を隔てた位置で、かつ、Ｚ方向においてフック３１５ａ（３１５ｂ）の幅Ｗの間に配置されている。
【００４３】
治具穴３１３ａ（３１３ｂ）は、絞り部３１１ａ（３１１ｂ）の略中央に配置されている。具体的には、治具穴３１３ａ（３１３ｂ）は、ヒートシンク部材３１の長手方向と直交する方向（Ｘ方向）において、フック３１５ａ（３１５ｂ）と、ネジ挿入穴３１２ａ（３１２ｂ）との間に配置されている。また、治具穴３１３ａ（３１３ｂ）は、支持フレーム３を組み立てる際に、図示しない治具を挿入して、ヒートシンク部材３１の位置決めをするために設けられている。また、治具穴３１３ａ（３１３ｂ）は、直径Ｄ１（たとえば、４．２ｍｍ±０．０５ｍｍ）を有する円形形状の貫通孔により構成されている。
【００４４】
ダボ穴３１４ａ〜３１４ｃ（３１４ｄ〜３１４ｆ）は、治具穴３１３ａ（３１３ｂ）の周りに所定の間隔を隔てて絞り部３１１ａ（３１１ｂ）に配置されている。また、ダボ穴３１４ａ〜３１４ｃ（３１４ｄ〜３１４ｆ）は、前後方向（Ｙ方向）から見て、配置位置が三角形状になるように配置されている。具体的には、ダボ穴３１４ａは、治具穴３１３ａの左側（Ｘ１方向側）に中心間距離（ピッチ）Ｐ１（たとえば、１３ｍｍ±０．０５ｍｍ）を隔てて配置されている。ダボ穴３１４ｂは、治具穴３１３ａの下側（Ｚ２方向側）に中心間距離（ピッチ）Ｐ２（たとえば、８ｍｍ±０．０５ｍｍ）を隔てて配置されている。ダボ穴３１４ｃは、治具穴３１３ａの右側（Ｘ２方向側）にダボ穴３１４ａと同じ中心間距離（ピッチ）Ｐ１を隔てて配置されている。また、ダボ穴３１４ａ〜３１４ｃは、治具穴３１３ａと同じ直径Ｄ１を有する円形形状の貫通孔により構成されている。なお、直径Ｄ１、中心間距離Ｐ１および中心間距離Ｐ２は、それぞれ、公差（寸法ばらつき）（たとえば、±０．０５ｍｍ）を含んでいる。
【００４５】
ダボ穴３１４ｄは、治具穴３１３ｂの左側（Ｘ１方向側）に中心間距離Ｐ１（たとえば、１３ｍｍ±０．０５ｍｍ）を隔てて配置されている。ダボ穴３１４ｅは、治具穴３１３ｂの上側（Ｚ１方向側）に中心間距離Ｐ２（たとえば、８ｍｍ±０．０５ｍｍ）を隔てて配置されている。ダボ穴３１４ｆは、治具穴３１３ｂの右側（Ｘ２方向側）にダボ穴３１４ｄと同じ中心間距離Ｐ１を隔てて配置されている。また、ダボ穴３１４ｄおよび３１４ｆは、左右方向（Ｘ方向）にダボ穴３１４ａ〜３１４ｃの直径Ｄ１と等しい幅Ｄ２（たとえば、４．２ｍｍ±０．０５ｍｍ）を有し、上下方向（Ｚ方向）にダボ穴３１４ａ〜３１４ｃの直径Ｄ１より大きな長さＤ３（たとえば、６ｍｍ±０．０５ｍｍ）を有する長円形状の貫通孔により構成されている。また、ダボ穴３１４ｅは、上下方向（Ｚ方向）にダボ穴３１４ａ〜３１４ｃの直径Ｄ１と等しい幅Ｄ２（たとえば、４．２ｍｍ±０．０５ｍｍ）を有し、左右方向（Ｘ方向）にダボ穴３１４ａ〜３１４ｃの直径Ｄ１より大きな長さＤ３（たとえば、６ｍｍ±０．０５ｍｍ）を有する長円形状の貫通孔により構成されている。なお、中心間距離Ｐ１、中心間距離Ｐ２、幅Ｄ２および長さＤ３は、それぞれ、公差（寸法ばらつき）（たとえば、±０．０５ｍｍ）を含んでいる。
【００４６】
フック３１５ａは、図５に示すように、ヒートシンク部材３１の下側（Ｚ２方向側）に配置されている。また、フック３１５ａは、上下方向（Ｚ方向）に幅Ｗを有している。また、フック３１５ａは、前後方向（Ｙ方向）に段差ｈ１（図１１および図１２参照）を有して、横側枠構成部材３３側（Ｘ１方向側）に延びるように形成されている。フック３１５ｂは、フック３１５ａに対して間隔Ｄ１を隔ててヒートシンク部材３１の上側（Ｚ１方向側）に配置されている。また、フック３１５ｂは、上下方向（Ｚ方向）にフック３１５ａと同じ幅Ｗを有している。また、フック３１５ｂは、前後方向（Ｙ方向）にフック３１５ａと同じ段差ｈ１を有して、横側枠構成部材３３側（Ｘ１方向側）に延びるように形成されている。
【００４７】
光源取付部３１６は、ヒートシンク部材３１のＸ２方向側に配置されている。光源取付部３１６は、ＬＥＤ光源ユニット２４５が取り付けられるように構成されている。
【００４８】
絞り部３１７は、図５に示すように、ヒートシンク部材３１の略中央に配置されている。また、絞り部３１７は、ヒートシンク部材３１の長手方向（Ｚ方向）に延びる長円形状に形成されている。また、絞り部３１７は、図１４および図１５に示すように、リアフレーム４側（Ｙ２方向側）に突出するように形成されている。ネジ穴３１８は、図５に示すように、上下方向（Ｚ方向）に間隔を隔てて絞り部３１７に２つ配置されている。
【００４９】
下側枠構成部材３２は、図４に示すように、枠形状の支持フレーム３の下側（Ｚ２方向側）に設けられている。また、下側枠構成部材３２は、ＳＥＣＣ（電気亜鉛めっき鋼板）により形成されている。また、下側枠構成部材３２は、図１１に示すように、ヒートシンク部材３１の厚みｔ１より小さい厚みｔ２（たとえば、０．６ｍｍ）を有する板金により形成されている。また、下側枠構成部材３２は、表示部２（反射シート２４４）を支持するように構成されている。また、下側枠構成部材３２は、図６に示すように、左右方向（Ｘ方向）に延びるように形成されている。また、下側枠構成部材３２は、短手方向（Ｚ方向）において長さＬ１よりも小さい長さＬ２を有する。また、下側枠構成部材３２は、絞り部３２１ａおよび３２１ｂと、ネジ穴３２２ａおよび３２２ｂと、治具穴３２３ａおよび３２３ｂと、ダボ３２４ａ〜３２４ｆと、フック係合部３２５ａおよび３２５ｂとを有している。なお、絞り部３２１ａおよび３２１ｂは、本発明の「第２絞り部」の一例である。また、ネジ穴３２２ａは、本発明の「第１締結部」および「ネジ締結部」の一例であり、治具穴３２３ａは、本発明の「第２位置決め部」の一例である。また、ダボ３２４ａ〜３２４ｃは、本発明の「第１凸部」の一例であり、ダボ３２４ｄ〜３２４ｆは、本発明の「第４凸部」の一例である。また、フック係合部３２５ａおよび３２５ｂは、それぞれ、本発明の「第１フック係合部」および「第２フック係合部」の一例である。
【００５０】
絞り部３２１ａ（３２１ｂ）は、図６に示すように、下側枠構成部材３２の右側（Ｘ２方向側）（左側（Ｘ１方向側））に配置されている。また、絞り部３２１ａ（３２１ｂ）は、ヒートシンク部材３１（横側枠構成部材３３）側（Ｙ１方向側）に突出するように形成されている。
【００５１】
ネジ穴３２２ａ（３２２ｂ）は、絞り部３２１ａ（３２１ｂ）の右下側（Ｘ２方向およびＺ２方向側）（左下側（Ｘ１方向およびＺ２方向側））に配置されている。また、ネジ穴３２２ａ（３２２ｂ）は、フック係合部３２５ａ（３２５ｂ）に対してＸ２方向（Ｘ１方向）に間隔を隔てた位置に配置されている。
【００５２】
治具穴３２３ａ（３２３ｂ）は、絞り部３２１ａ（３２１ｂ）に配置されている。具体的には、治具穴３２３ａ（３２３ｂ）は、下側枠構成部材３２の長手方向（Ｘ方向）において、フック係合部３２５ａ（３２５ｂ）と、ネジ穴３２２ａ（３２２ｂ）との間に配置されている。また、治具穴３２３ａ（３２３ｂ）は、支持フレーム３を組み立てる際に、図示しない治具を挿入して、下側枠構成部材３２の位置決めをするために設けられている。また、治具穴３２３ａ（３２３ｂ）は、治具穴３１３ａおよび３１３ｂと同じ直径Ｄ１（たとえば、４．２ｍｍ±０．０５ｍｍ）を有する円形形状の貫通孔により構成されている。
【００５３】
ダボ３２４ａ〜３２４ｃ（３２４ｄ〜３２４ｆ）は、治具穴３２３ａ（３２３ｂ）の周りに所定の間隔を隔てて絞り部３２１ａ（３２１ｂ）に配置されている。また、ダボ３２４ａ〜３２４ｃ（３２４ｄ〜３２４ｆ）は、前後方向（Ｙ方向）から見て、配置位置が三角形状になるように配置されている。具体的には、ダボ３２４ａ（３２４ｄ）は、治具穴３２３ａ（３２３ｂ）の左側（Ｘ１方向側）（右側（Ｘ２方向側））に中心間距離（ピッチ）Ｐ１（たとえば、１３ｍｍ±０．０５ｍｍ）を隔てて配置されている。ダボ３２４ｂ（３２４ｅ）は、治具穴３２３ａの下側（Ｚ２方向側）に中心間距離（ピッチ）Ｐ２（たとえば、８ｍｍ±０．０５ｍｍ）を隔てて配置されている。ダボ３２４ｃ（３２４ｆ）は、治具穴３２３ａの右側（Ｘ２方向側）（左側（Ｘ１方向側））にダボ３２４ａ（３２４ｄ）と同じ中心間距離（ピッチ）Ｐ１を隔てて配置されている。また、ダボ３２４ａ〜３２４ｆは、直径Ｄ４（たとえば、４ｍｍ±０．０５ｍｍ）を有し、高さｈ３（たとえば、２ｍｍ）（図１１および図１２参照）を有してヒートシンク部材３１（横側枠構成部材３３）側（Ｙ１方向側）に突出する円筒形状の突起により構成されている。なお、中心間距離Ｐ１、中心間距離Ｐ２および直径Ｄ４は、それぞれ、公差（寸法ばらつき）（たとえば、±０．０５ｍｍ）を含んでいる。
【００５４】
フック係合部３２５ａ（３２５ｂ）は、図６に示すように、下側枠構成部材３２の右側（Ｘ２方向側）（左側（Ｘ１方向側））に配置されている。また、フック係合部３２５ａ（３２５ｂ）には、上下方向（Ｚ方向）に延びる略矩形形状の貫通孔が形成されている。また、フック係合部３２５ａおよび３２５ｂは、互いに上下方向（Ｚ方向）にずれた位置に配置されている。
【００５５】
横側枠構成部材３３は、図４に示すように、枠形状の支持フレーム３の左側（Ｘ１方向側）に設けられている。つまり、横側枠構成部材３３は、ヒートシンク部材３１と対向する位置に配置されている。また、横側枠構成部材３３は、ＳＥＣＣ（電気亜鉛めっき鋼板）により形成されている。また、横側枠構成部材３３は、下側枠構成部材３２と同じ厚みｔ２を有する板金により形成されている。また、横側枠構成部材３３は、表示部２（反射シート２４４）を支持するように構成されている。また、横側枠構成部材３３は、図７に示すように、上下方向（Ｚ方向）に延びるように形成されている。また、横側枠構成部材３３は、短手方向（Ｘ方向）において長さＬ１よりも小さい長さＬ３を有する。また、横側枠構成部材３３は、絞り部３３１ａおよび３３１ｂと、ネジ挿入穴３３２ａおよび３３２ｂと、治具穴３３３ａおよび３３３ｂと、ダボ穴３３４ａ〜３３４ｆと、フック３３５ａおよび３３５ｂとを有している。なお、絞り部３３１ａおよび３３１ｂは、本発明の「第２絞り部」の一例である。また、ダボ穴３３４ａ〜３３４ｃは、本発明の「第２凹部」の一例であり、ダボ穴３３４ｄ〜３３４ｆは、本発明の「第４凹部」の一例である。また、フック３３５ａおよび３３５ｂは、それぞれ、本発明の「第３フック部」および「第２フック部」の一例である。
【００５６】
絞り部３３１ａ（３３１ｂ）は、図７に示すように、横側枠構成部材３３の上側（Ｚ１方向側）（下側（Ｚ２方向側））に配置されている。また、絞り部３３１ａ（３３１ｂ）は、上側枠構成部材３４（下側枠構成部材３２）側（Ｙ２方向側）に突出するように形成されている。
【００５７】
ネジ挿入穴３３２ａ（３３２ｂ）は、絞り部３３１ａ（３３１ｂ）の左上側（Ｘ１方向およびＺ１方向側）（左下側（Ｘ１方向およびＺ２方向側））に配置されている。また、ネジ挿入穴３１２ａ（３１２ｂ）は、フック３３５ａ（３３５ｂ）に対してＸ１方向に間隔を隔てた位置で、かつ、Ｚ方向においてフック３３５ａ（３３５ｂ）の幅Ｗの間に配置されている。
【００５８】
治具穴３３３ａ（３３３ｂ）は、絞り部３３１ａ（３３１ｂ）の略中央に配置されている。具体的には、治具穴３３３ａ（３３３ｂ）は、横側枠構成部材３３の長手方向と直交する方向（Ｘ方向）において、フック３３５ａ（３３５ｂ）と、ネジ挿入穴３３２ａ（３３２ｂ）との間に配置されている。また、治具穴３３３ａ（３３３ｂ）は、支持フレーム３を組み立てる際に、図示しない治具を挿入して、横側枠構成部材３３の位置決めをするために設けられている。また、治具穴３３３ａ（３３３ｂ）は、直径Ｄ１（たとえば、４．２ｍｍ±０．０５ｍｍ）を有する円形形状の貫通孔により構成されている。
【００５９】
ダボ穴３３４ａ〜３３４ｃ（３３４ｄ〜３３４ｆ）は、治具穴３３３ａ（３３３ｂ）の周りに所定の間隔を隔てて絞り部３３１ａ（３３１ｂ）に配置されている。また、ダボ穴３３４ａ〜３３４ｃ（３３４ｄ〜３３４ｆ）は、前後方向（Ｙ方向）から見て、配置位置が三角形状になるように配置されている。具体的には、ダボ穴３３４ａは、治具穴３３３ａの右側（Ｘ２方向側）に中心間距離（ピッチ）Ｐ１（たとえば、１３ｍｍ±０．０５ｍｍ）を隔てて配置されている。ダボ穴３３４ｂは、治具穴３１３ａの上側（Ｚ１方向側）に中心間距離（ピッチ）Ｐ２（たとえば、８ｍｍ±０．０５ｍｍ）を隔てて配置されている。ダボ穴３３４ｃは、治具穴３３３ａの左側（Ｘ１方向側）にダボ穴３３４ａと同じ中心間距離（ピッチ）Ｐ１を隔てて配置されている。また、ダボ穴３３４ａ〜３３４ｃは、治具穴３３３ａと同じ直径Ｄ１を有する円形形状の貫通孔により構成されている。なお、直径Ｄ１、中心間距離Ｐ１および中心間距離Ｐ２は、それぞれ、公差（寸法ばらつき）（たとえば、±０．０５ｍｍ）を含んでいる。
【００６０】
ダボ穴３３４ｄは、治具穴３３３ｂの右側（Ｘ２方向側）に中心間距離Ｐ１（たとえば、１３ｍｍ±０．０５ｍｍ）を隔てて配置されている。ダボ穴３３４ｅは、治具穴３３３ｂの下側（Ｚ２方向側）に中心間距離Ｐ２（たとえば、８ｍｍ±０．０５ｍｍ）を隔てて配置されている。ダボ穴３３４ｆは、治具穴３３３ｂの左側（Ｘ１方向側）にダボ穴３３４ｄと同じ中心間距離Ｐ１を隔てて配置されている。また、ダボ穴３３４ｄおよび３３４ｆは、左右方向（Ｘ方向）にダボ穴３３４ａ〜３３４ｃの直径Ｄ１と等しい幅Ｄ２（たとえば、４．２ｍｍ±０．０５ｍｍ）を有し、上下方向（Ｚ方向）にダボ穴３３４ａ〜３３４ｃの直径Ｄ１より大きな長さＤ３（たとえば、６ｍｍ±０．０５ｍｍ）を有する長円形状の貫通孔により構成されている。また、ダボ穴３３４ｅは、上下方向（Ｚ方向）にダボ穴３３４ａ〜３３４ｃの直径Ｄ１と等しい幅Ｄ２（たとえば、４．２ｍｍ±０．０５ｍｍ）を有し、左右方向（Ｘ方向）にダボ穴３３４ａ〜３３４ｃの直径Ｄ１より大きな長さＤ３（たとえば、６ｍｍ±０．０５ｍｍ）を有する長円形状の貫通孔により構成されている。なお、中心間距離Ｐ１、中心間距離Ｐ２、幅Ｄ２および長さＤ３は、それぞれ、公差（寸法ばらつき）（たとえば、±０．０５ｍｍ）を含んでいる。
【００６１】
フック３３５ａは、図７に示すように、横側枠構成部材３３の上側（Ｚ１方向側）に配置されている。また、フック３３５ａは、上下方向（Ｚ方向）にフック３１５ａおよび３１５ｂと同じ幅Ｗを有している。また、フック３３５ａは、前後方向（Ｙ方向）に段差ｈ２を有して、ヒートシンク部材３１側（Ｘ２方向側）に延びるように形成されている。フック３３５ｂは、フック３３５ａに対して間隔Ｄ１とは異なる間隔Ｄ２を隔てて横側枠構成部材３３の下側（Ｚ２方向側）に配置されている。また、フック３３５ｂは、上下方向（Ｚ方向）にフック３１５ａ、３１５ｂおよび３３５ａと同じ幅Ｗを有している。なお、フック３１５ａ、３１５ｂ、３３５ａおよび３３５ｂは、互いに同じ幅を有していなくてもよい。また、フック３３５ｂは、前後方向（Ｙ方向）にフック３３５ａと同じ段差ｈ２（図１３参照）を有して、ヒートシンク部材３１側（Ｘ２方向側）に延びるように形成されている。
【００６２】
上側枠構成部材３４は、図４に示すように、枠形状の支持フレーム３の上側（Ｚ１方向側）に設けられている。つまり、上側枠構成部材３４は、下側枠構成部材３２と対向する位置に配置されている。また、上側枠構成部材３４は、ＳＥＣＣ（電気亜鉛めっき鋼板）により形成されている。また、上側枠構成部材３４は、下側枠構成部材３２および横側枠構成部材３３と同じ厚みｔ２を有する板金により形成されている。また、上側枠構成部材３４は、表示部２（反射シート２４４）を支持するように構成されている。また、上側枠構成部材３４は、図８に示すように、左右方向（Ｘ方向）に延びるように形成されている。また、上側枠構成部材３４は、短手方向（Ｚ方向）において長さＬ１よりも小さい長さＬ４を有する。また、上側枠構成部材３４は、絞り部３４１ａおよび３４１ｂと、ネジ穴３４２ａおよび３４２ｂと、治具穴３４３ａおよび３４３ｂと、ダボ３４４ａ〜３４４ｆと、フック係合部３４５ａおよび３４５ｂとを有している。なお、絞り部３４１ａおよび３４１ｂは、本発明の「第２絞り部」の一例である。また、ダボ３４４ａ〜３４４ｃは、本発明の「第２凸部」の一例であり、ダボ３４４ｄ〜３４４ｆは、本発明の「第３凸部」の一例である。また、フック係合部３４５ａおよび３４５ｂは、本発明の「第３フック係合部」および「第４フック係合部」の一例である。
【００６３】
絞り部３４１ａ（３４１ｂ）は、図８に示すように、上側枠構成部材３４の左側（Ｘ１方向側）（右側（Ｘ２方向側））に配置されている。また、絞り部３４１ａ（３４１ｂ）は、横側枠構成部材３３（ヒートシンク部材３１）側（Ｙ１方向側）に突出するように形成されている。
【００６４】
ネジ穴３４２ａ（３４２ｂ）は、絞り部３４１ａ（３４１ｂ）の左上側（Ｘ１方向およびＺ１方向側）（右上側（Ｘ２方向およびＺ１方向側））に配置されている。また、ネジ穴３４２ａ（３４２ｂ）は、図８に示すように、フック係合部３４５ａ（３４５ｂ）に対してＸ１方向（Ｘ２方向）に間隔を隔てた位置に配置されている。
【００６５】
治具穴３４３ａ（３４３ｂ）は、絞り部３４１ａ（３４１ｂ）に配置されている。具体的には、治具穴３４３ａ（３４３ｂ）は、上側枠構成部材３４の長手方向（Ｘ方向）において、フック係合部３４５ａ（３４５ｂ）と、ネジ穴３４２ａ（３４２ｂ）との間に配置されている。また、治具穴３４３ａ（３４３ｂ）は、支持フレーム３を組み立てる際に、図示しない治具を挿入して、上側枠構成部材３４の位置決めをするために設けられている。また、治具穴３４３ａ（３４３ｂ）は、治具穴３１３ａおよび３１３ｂと同じ直径Ｄ１（たとえば、４．２ｍｍ±０．０５ｍｍ）を有する円形形状の貫通孔により構成されている。
【００６６】
ダボ３４４ａ〜３４４ｃ（３４４ｄ〜３４４ｆ）は、治具穴３４３ａ（３４３ｂ）の周りに所定の間隔を隔てて絞り部３４１ａ（３４１ｂ）に配置されている。また、ダボ３４４ａ〜３４４ｃ（３４４ｄ〜３４４ｆ）は、前後方向（Ｙ方向）から見て、配置位置が三角形状になるように配置されている。具体的には、ダボ３４４ａ（３４４ｄ）は、治具穴３４３ａ（３４３ｂ）の右側（Ｘ２方向側）（左側（Ｘ１方向側））に中心間距離（ピッチ）Ｐ１（たとえば、１３ｍｍ±０．０５ｍｍ）を隔てて配置されている。ダボ３４４ｂ（３４４ｅ）は、治具穴３４３ａの上側（Ｚ１方向側）に中心間距離（ピッチ）Ｐ２（たとえば、８ｍｍ±０．０５ｍｍ）を隔てて配置されている。ダボ３４４ｃ（３４４ｆ）は、治具穴３４３ａの左側（Ｘ１方向側）（右側（Ｘ２方向側））にダボ３４４ａ（３４４ｄ）と同じ中心間距離（ピッチ）Ｐ１を隔てて配置されている。また、ダボ３４４ａ〜３４４ｆは、直径Ｄ４（たとえば、４ｍｍ±０．０５ｍｍ）を有し、高さｈ３（たとえば、２ｍｍ）を有して横側枠構成部材３３（ヒートシンク部材３１）側（Ｙ１方向側）に突出する円筒形状の突起により構成されている。なお、中心間距離Ｐ１、中心間距離Ｐ２および直径Ｄ４は、それぞれ、公差（寸法ばらつき）（たとえば、±０．０５ｍｍ）を含んでいる。
【００６７】
フック係合部３４５ａ（３４５ｂ）は、図８に示すように、上側枠構成部材３４の左側（Ｘ１方向側）（右側（Ｘ２方向側））に配置されている。また、フック係合部３４５ａ（３４５ｂ）には、上下方向（Ｚ方向）に延びる略矩形形状の貫通孔が形成されている。また、フック係合部３４５ａおよび３４５ｂは、互いに上下方向（Ｚ方向）にずれた位置に配置されている。
【００６８】
ヒートシンク部材３１は、図３に示すように、下側枠構成部材３２に前側（Ｙ１方向側）から固定されている。また、ヒートシンク部材３１は、図４および図１０〜図１２に示すように、ダボ穴３１４ａ〜３１４ｃと下側枠構成部材３２のダボ３２４ａ〜３２４ｃとがそれぞれ嵌合した状態で、ネジ挿入穴３１２ａを介して下側枠構成部材３２のネジ穴３２２ａにネジ３ａにより前側（Ｙ１方向側）からネジ止めされている。また、ダボ穴３１４ａ〜３１４ｃとダボ３２４ａ〜３２４ｃとは、互いに隙間を有して嵌合している。また、ヒートシンク部材３１および下側枠構成部材３２は、絞り部３１１ａおよび絞り部３２１ａにおいてのみ当接している。なお、ネジ３ａは、本発明の「締結部材」および「第１締結部材」の一例である。
【００６９】
また、ヒートシンク部材３１は、図４、図９および図１１に示すように、フック３１５ａが下側枠構成部材３２のフック係合部３２５ａに係合した状態で、ネジ挿入穴３１２ａを介して下側枠構成部材３２のネジ穴３２２ａにネジ３ａにより前側（Ｙ１方向側）からネジ止めされている。詳しくは、ヒートシンク部材３１のフック３１５ａは、下側枠構成部材３２のフック係合部３２５ａの貫通孔に前側（Ｙ１方向側）から後側（Ｙ２方向側）に向かって挿入されている。フック３１５ａの前側（Ｙ１方向側）とフック係合部３２５ａの後側（Ｙ２方向側）とが当接することにより、ヒートシンク部材３１が下側枠構成部材３２に対して前側（Ｙ１方向側）に浮き上がることが規制されている。つまり、ヒートシンク部材３１のフック３１５ａと下側枠構成部材３２のフック係合部３２５ａとは、ネジ３ａのネジ止めの方向（Ｙ方向）に係合している。
【００７０】
横側枠構成部材３３は、図３に示すように、上側枠構成部材３４に前側（Ｙ１方向側）から固定されている。また、横側枠構成部材３３は、図４に示すように、ダボ穴３３４ａ〜３３４ｃと上側枠構成部材３４のダボ３４４ａ〜３４４ｃとがそれぞれ嵌合した状態で、ネジ挿入穴３３２ａを介して上側枠構成部材３４のネジ穴３４２ａにネジ３ｂにより前側（Ｙ１方向側）からネジ止めされている。また、ダボ穴３３４ａ〜３３４ｃとダボ３４４ａ〜３４４ｃとは、互いに隙間を有して嵌合している。また、横側枠構成部材３３および上側枠構成部材３４は、絞り部３３１ａおよび絞り部３４１ａにおいてのみ当接している。なお、ネジ３ｂは、本発明の「締結部材」および「第２締結部材」の一例である。
【００７１】
また、横側枠構成部材３３は、図４に示すように、フック３３５ａが上側枠構成部材３４のフック係合部３４５ａに係合した状態で、ネジ挿入穴３３２ａを介して上側枠構成部材３４のネジ穴３４２ａにネジ３ｂにより前側（Ｙ１方向側）からネジ止めされている。詳しくは、横側枠構成部材３３のフック３３５ａは、上側枠構成部材３４のフック係合部３４５ａの貫通孔に前側（Ｙ１方向側）から後側（Ｙ２方向側）に向かって挿入されている。フック３３５ａの前側（Ｙ１方向側）とフック係合部３４５ａの後側（Ｙ２方向側）とが当接することにより、横側枠構成部材３３が上側枠構成部材３４に対して前側（Ｙ１方向側）に浮き上がることが規制されている。つまり、横側枠構成部材３３のフック３３５ａと上側枠構成部材３４のフック係合部３４５ａとは、ネジ３ｂのネジ止めの方向（Ｙ方向）に係合している。
【００７２】
ここで、図１６〜図１８を参照して、ヒートシンク部材３１のダボ穴３１４ａ〜３１４ｃと下側枠構成部材３２のダボ３２４ａ〜３２４ｃとの嵌合、および、横側枠構成部材３３のダボ穴３３４ａ〜３３４ｃと上側枠構成部材３４のダボ３４４ａ〜３４４ｃとの嵌合について説明する。ダボ穴３１４ａ〜３１４ｃ（３３４ａ〜３３４ｃ）の直径Ｄ１は、ダボ３２４ａ〜３２４ｃ（３４４ａ〜３４４ｃ）の直径Ｄ４よりも大きい。これにより、ダボ穴３１４ａ〜３１４ｃ（３３４ａ〜３３４ｃ）およびダボ３２４ａ〜３２４ｃ（３４４ａ〜３４４ｃ）は、図１６に示すように、Ｘ方向およびＺ方向に隙間を有して嵌合している。また、公差（寸法ばらつき）に起因して、ダボ３２４ａ〜３２４ｃ（３４４ａ〜３４４ｃ）の直径Ｄ４が大きくなった場合、図１７に示すように、ダボ穴３１４ａ〜３１４ｃ（３３４ａ〜３３４ｃ）およびダボ３２４ａ〜３２４ｃ（３４４ａ〜３４４ｃ）のＸ方向およびＺ方向の隙間が小さくなるかまたは隙間がなくなる部分が局所的に生じる。これにより、ヒートシンク部材３１（横側枠構成部材３３）が下側枠構成部材３２（上側枠構成部材３４）に対してＸ方向およびＺ方向に移動することが規制される。なお、公差（寸法ばらつき）により、ダボ３２４ａ〜３２４ｃ（３４４ａ〜３４４ｃ）の直径Ｄ４が最大（たとえば、４．０５ｍｍ）となり、ダボ穴３１４ａ〜３１４ｃ（３３４ａ〜３３４ｃ）の直径Ｄ１が最小（たとえば、４．１５ｍｍ）となった場合でも、ダボ３２４ａ〜３２４ｃ（３４４ａ〜３４４ｃ）とダボ穴３１４ａ〜３１４ｃ（３３４ａ〜３３４ｃ）とは、嵌合するように構成されている。
【００７３】
また、公差（寸法ばらつき）に起因して、ダボ３２４ａ〜３２４ｃ（３４４ａ〜３４４ｃ）の中心がダボ穴３１４ａ〜３１４ｃ（３３４ａ〜３３４ｃ）の中心に対してＸ１方向にずれた場合、図１８に示すように、ダボ穴３１４ａ〜３１４ｃ（３３４ａ〜３３４ｃ）およびダボ３２４ａ〜３２４ｃ（３４４ａ〜３４４ｃ）のＸ１方向側の隙間が小さくなるかまたは隙間がなくなる部分が局所的に生じる。これにより、ヒートシンク部材３１（横側枠構成部材３３）が下側枠構成部材３２（上側枠構成部材３４）に対してＸ２側に移動することが規制される。また、公差（寸法ばらつき）により、ダボ３２４ａ〜３２４ｃ（３４４ａ〜３４４ｃ）の中心がダボ穴３１４ａ〜３１４ｃ（３３４ａ〜３３４ｃ）の中心に対してＸ１方向以外の方向にずれた場合でも、同様にして、ヒートシンク部材３１（横側枠構成部材３３）が下側枠構成部材３２（上側枠構成部材３４）に対して移動することが規制される。なお、ダボ３２４ａ〜３２４ｃおよびダボ穴３１４ａ〜３１４ｃのうち少なくとも１組は、ダボ３２４ａ〜３２４ｃの中心とダボ穴３１４ａ〜３１４ｃの中心とが嵌合方向から見て（Ｙ方向から見て）互いにずれた状態で嵌合している。また、ダボ３２４ａ〜３２４ｃ（３４４ａ〜３４４ｃ）の中心がダボ穴３１４ａ〜３１４ｃ（３３４ａ〜３３４ｃ）の中心に対して公差（寸法ばらつき）によりたとえば、０．１ｍｍずれた場合でも、ダボ３２４ａ〜３２４ｃ（３４４ａ〜３４４ｃ）とダボ穴３１４ａ〜３１４ｃ（３３４ａ〜３３４ｃ）とは、嵌合するように構成されている。
【００７４】
また、ヒートシンク部材３１は、図３に示すように、上側枠構成部材３４に前側（Ｙ１方向側）から固定されている。また、ヒートシンク部材３１は、図４に示すように、ダボ穴３１４ｄ〜３１４ｆと上側枠構成部材３４のダボ３４４ｄ〜３４４ｆとがそれぞれ嵌合した状態で、ネジ挿入穴３１２ｂを介して上側枠構成部材３４のネジ穴３４２ｂにネジ３ｃにより前側（Ｙ１方向側）からネジ止めされている。また、ダボ穴３１４ｄ〜３１４ｆとダボ３４４ｄ〜３４４ｆとは、互いに隙間を有して嵌合している。また、ヒートシンク部材３１および上側枠構成部材３４は、絞り部３１１ｂおよび絞り部３４１ｂにおいてのみ当接している。なお、ネジ３ｃは、本発明の「締結部材」および「第３締結部材」の一例である。
【００７５】
また、ヒートシンク部材材３１は、図４に示すように、フック３１５ｂが上側枠構成部材３４のフック係合部３４５ｂに係合した状態で、ネジ挿入穴３１２ｂを介して上側枠構成部材３４のネジ穴３４２ｂにネジ３ｃにより前側（Ｙ１方向側）からネジ止めされている。詳しくは、ヒートシンク部材３１のフック３１５ｂは、上側枠構成部材３４のフック係合部３４５ｂの貫通孔に前側（Ｙ１方向側）から後側（Ｙ２方向側）に向かって挿入されている。フック３１５ｂの前側（Ｙ１方向側）とフック係合部３４５ｂの後側（Ｙ２方向側）とが当接することにより、ヒートシンク部材３１が上側枠構成部材３４に対して前側（Ｙ１方向側）に浮き上がることが規制されている。つまり、ヒートシンク部材３１のフック３１５ｂと上側枠構成部材３４のフック係合部３４５ｂとは、ネジ３ｃのネジ止めの方向（Ｙ方向）に係合している。
【００７６】
横側枠構成部材３３は、図３に示すように、下側枠構成部材３２に前側（Ｙ１方向側）から固定されている。また、横側枠構成部材３３は、図４に示すように、ダボ穴３３４ｄ〜３３４ｆと下側枠構成部材３２のダボ３２４ｄ〜３２４ｆとがそれぞれ嵌合した状態で、ネジ挿入穴３３２ｂを介して下側枠構成部材３２のネジ穴３２２ｂにネジ３ｄにより前側（Ｙ１方向側）からネジ止めされている。また、ダボ穴３３４ｄ〜３３４ｆとダボ３２４ｄ〜３２４ｆとは、互いに隙間を有して嵌合している。また、横側枠構成部材３３および下側枠構成部材３２は、絞り部３３１ｂおよび絞り部３２１ｂにおいてのみ当接している。なお、ネジ３ｄは、本発明の「締結部材」および「第４締結部材」の一例である。
【００７７】
また、横側枠構成部材３３は、図４に示すように、フック３３５ｂが下側枠構成部材３２のフック係合部３２５ｂに係合した状態で、ネジ挿入穴３３２ｂを介して下側枠構成部材３２のネジ穴３２２ｂにネジ３ｄにより前側（Ｙ１方向側）からネジ止めされている。詳しくは、横側枠構成部材３３のフック３３５ｂは、下側枠構成部材３２のフック係合部３２５ｂの貫通孔に前側（Ｙ１方向側）から後側（Ｙ２方向側）に向かって挿入されている。フック３３５ｂの前側（Ｙ１方向側）とフック係合部３２５ｂの後側（Ｙ２方向側）とが当接することにより、横側枠構成部材３３が下側枠構成部材３２に対して前側（Ｙ１方向側）に浮き上がることが規制されている。つまり、横側枠構成部材３３のフック３３５ｂと下側枠構成部材３２のフック係合部３２５ｂとは、ネジ３ｄのネジ止めの方向（Ｙ方向）に係合している。
【００７８】
リアフレーム４は、図３に示すように、支持フレーム３の後側（Ｙ２方向側）に配置されている。また、リアフレーム４は、前面視において略矩形形状を有している。また、リアフレーム４は、ＳＥＣＣ（電気亜鉛めっき鋼板）により形成されている。また、リアフレーム４の背面（Ｙ２方向側面）は、中央部がカバー部材６に覆われており、外周部および外周部近傍が外部に露出している。また、リアフレーム４は、ネジ挿入穴４ａおよび４ｂを含んでいる。また、リアフレーム４には、ネジ挿入穴４ａを介してヒートシンク部材３１のネジ穴３１８にネジ４ｃがネジ止めされて支持フレーム３が固定されている。また、リアフレーム４の背面（Ｙ２方向側面）のカバー部材から露出された部分の前面（Ｙ１方向側面）には、ヒートシンク部材３１の絞り部３１７が面接触している。また、リアフレーム４は、ネジ挿入穴４ｂを介してネジ４ｄによりフロントキャビネット１に固定されている。
【００７９】
回路基板５は、図２に示すように、リアフレーム４の後側（Ｙ２方向側）に固定されている。また、回路基板５には、チューナ５１と、映像、音声およびデータを入出力するための端子５２とが搭載されている。チューナ５１は、テレビジョン放送を受信可能に構成されている。
【００８０】
カバー部材６は、図２に示すように、リアフレーム４の後側（Ｙ２方向側）に固定されている。また、カバー部材６は、リアフレーム４に取り付けられた回路基板５を後側（Ｙ２方向側）から覆うように形成されている。また、カバー部材６は、リアフレーム４の後側（Ｙ２方向側）の中央部を覆い、外周部および外周部近傍を露出するように形成されている。
【００８１】
スタンド７は、テレビジョン装置１００の下側（Ｚ２方向側）に配置され、テレビジョン装置１００を支持するように構成されている。電源コード８は、外部からの電力をテレビジョン装置１００に供給可能に構成されている。
【００８２】
次に、上記した本実施形態による支持フレーム３の組立手順について説明する。まず、下側枠構成部材３２の治具穴３２３ａおよび３２３ｂが図示しない治具の凸部に嵌合するように下側枠構成部材３２を載置する。次に、上側枠構成部材３４の治具穴３４３ａおよび３４３ｂが図示しない治具の凸部に嵌合するように上側枠構成部材３４を載置する。
【００８３】
次に、ヒートシンク部材３１のフック３１５ａおよび３１５ｂを下側枠構成部材３２のフック係合部３２５ａおよび上側枠構成部材３４のフック係合部３４５ｂにそれぞれ挿入する。そして、ヒートシンク部材３１の治具穴３１３ａおよび３１３ｂが図示しない治具の凸部に嵌合するようにヒートシンク部材３１を下側枠構成部材３２および上側枠構成部材３４の前側（Ｙ１方向側）に重ねて載置する。これにより、ヒートシンク部材３１の絞り部３１１ａおよび３１１ｂが、下側枠構成部材３２の絞り部３２１ａおよび上側枠構成部材３４の絞り部３４１ｂにそれぞれ当接する。また、ヒートシンク部材３１の治具穴３１３ａと下側枠構成部材３２の治具穴３２３ａとが前後方向（Ｙ方向）から見て重なって配置される。また、ヒートシンク部材３１の治具穴３１３ｂと上側枠構成部材３４の治具穴３４３ｂとが前後方向（Ｙ方向）から見て重なって配置される。また、この際、ヒートシンク部材３１のダボ穴３１４ａ〜３１４ｃおよびダボ穴３１４ｄ〜３１４ｆに下側枠構成部材３２のダボ３２４ａ〜３２４ｃおよび上側枠構成部材３４のダボ３４４ｄ〜３４４ｆがそれぞれ挿入される。また、フック３１５ａおよびフック係合部３２５ａが係合し、フック３１５ｂおよびフック係合部３４５ｂが係合する。
【００８４】
この後、横側枠構成部材３３のフック３３５ａおよび３３５ｂを上側枠構成部材３４のフック係合部３４５ａおよび下側枠構成部材３２のフック係合部３２５ｂにそれぞれ挿入する。そして、横側枠構成部材３３の治具穴３３３ａおよび３３３ｂが図示しない治具の凸部に嵌合するように横側枠構成部材３３を下側枠構成部材３２および上側枠構成部材３４の前側（Ｙ１方向側）に重ねて載置する。これにより、横側枠構成部材３３の絞り部３３１ａおよび３３１ｂが、上側枠構成部材３４の絞り部３４１ａおよび下側枠構成部材３２の絞り部３２１ｂにそれぞれ当接する。また、横側枠構成部材３３の治具穴３３３ａと上側枠構成部材３４の治具穴３４３ａとが前後方向（Ｙ方向）から見て重なって配置される。また、横側枠構成部材３３の治具穴３３３ｂと下側枠構成部材３２の治具穴３２３ｂとが前後方向（Ｙ方向）から見て重なって配置される。また、この際、横側枠構成部材３３のダボ穴３３４ａ〜３３４ｃおよびダボ穴３３４ｄ〜３３４ｆに上側枠構成部材３４のダボ３４４ａ〜３４４ｃおよび下側枠構成部材３２のダボ３２４ｄ〜３２４ｆがそれぞれ挿入される。また、フック３３５ａおよびフック係合部３４５ａが係合し、フック３３５ｂおよびフック係合部３２５ｂが係合する。
【００８５】
次に、ヒートシンク部材３１および下側枠構成部材３２を互いに固定する。具体的には、ヒートシンク部材３１のネジ挿入穴３１２ａおよび下側枠構成部材３２のネジ穴３２２ａをネジ３ａによりネジ止めする。これにより、ヒートシンク部材３１および下側枠構成部材３２は、絞り部３１１ａおよび絞り部３２１ａにおいて、互いに当接した状態でネジ３ａにより互いに固定される。また、ヒートシンク部材３１および下側枠構成部材３２は、フック３１５ａおよびフック係合部３２５ａが係合した状態でネジ３ａによりネジ止めされることにより互いに固定される。また、ヒートシンク部材３１および下側枠構成部材３２は、ダボ穴３１４ａ〜３１４ｃとダボ３２４ａ〜３２４ｃとが互いに隙間を有して嵌合した状態でネジ３ａによりネジ止めされることにより互いに固定される。
【００８６】
そして、横側枠構成部材３３および上側枠構成部材３４を互いに固定する。具体的には、横側枠構成部材３３のネジ挿入穴３３２ａおよび上側枠構成部材３４のネジ穴３４２ａをネジ３ｂによりネジ止めする。これにより、横側枠構成部材３３および上側枠構成部材３４は、絞り部３３１ａおよび絞り部３４１ａにおいて、互いに当接した状態でネジ３ｂにより互いに固定される。また、横側枠構成部材３３および上側枠構成部材３４は、フック３３５ａおよびフック係合部３４５ａが係合した状態でネジ３ｂによりネジ止めされることにより互いに固定される。また、横側枠構成部材３３および上側枠構成部材３４は、ダボ穴３３４ａ〜３３４ｃとダボ３４４ａ〜３４４ｃとが互いに隙間を有して嵌合した状態でネジ３ｂによりネジ止めされることにより互いに固定される。
【００８７】
この後、横側枠構成部材３３および下側枠構成部材３２を互いに固定する。具体的には、横側枠構成部材３３のネジ挿入穴３３２ｂおよび下側枠構成部材３２のネジ穴３２２ｂをネジ３ｄによりネジ止めする。これにより、横側枠構成部材３３および下側枠構成部材３２は、絞り部３３１ｂおよび絞り部３２１ｂにおいて、互いに当接した状態でネジ３ｄにより互いに固定される。また、横側枠構成部材３３および下側枠構成部材３２は、フック３３５ｂおよびフック係合部３２５ｂが係合した状態でネジ３ｄによりネジ止めされることにより互いに固定される。また、横側枠構成部材３３および下側枠構成部材３２は、ダボ穴３３４ｄ〜３３４ｆとダボ３２４ｄ〜３２４ｆとが互いに隙間を有して嵌合した状態でネジ３ｄによりネジ止めされることにより互いに固定される。
【００８８】
そして、ヒートシンク部材３１および上側枠構成部材３４を互いに固定する。具体的には、ヒートシンク部材３１のネジ挿入穴３１２ｂおよび上側枠構成部材３４のネジ穴３４２ｂをネジ３ｃによりネジ止めする。これにより、ヒートシンク部材３１および上側枠構成部材３４は、絞り部３１１ｂおよび絞り部３４１ｂにおいて、互いに当接した状態でネジ３ｃにより互いに固定される。また、ヒートシンク部材３１および上側枠構成部材３４は、フック３１５ｂおよびフック係合部３４５ｂが係合した状態でネジ３ｃによりネジ止めされることにより互いに固定される。また、ヒートシンク部材３１および上側枠構成部材３４は、ダボ穴３１４ｄ〜３１４ｆとダボ３４４ｄ〜３４４ｆとが互いに隙間を有して嵌合した状態でネジ３ｃによりネジ止めされることにより互いに固定される。以上により、ヒートシンク部材３１と、下側枠構成部材３２と、横側枠構成部材３３と、上側枠構成部材３４とにより、枠形状の支持フレーム３が組み立てられる。
【００８９】
本実施形態では、上記のように、反射シート２４４を背面側（Ｙ２方向側）から支持する支持フレーム３を枠形状にすることによって、反射シート２４４の背面側（Ｙ２方向側）全体を覆う場合と異なり支持フレーム３の表面積を小さくすることができるので、反射シート２４４を背面側（Ｙ２方向側）から支持する支持フレーム３の軽量化を図ることができる。これにより、支持フレーム３が反射シート２４４の背面側（Ｙ２方向側）全体を覆う場合に比べて、テレビジョン装置１００の軽量化を図ることができる。また、枠形状の支持フレーム３が、ヒートシンク部材３１と、下側枠構成部材３２と、横側枠構成部材３３と、上側枠構成部材３４とにより構成されていることによって、１枚の板金を中抜きすることにより枠形状の支持フレーム３を一体的に形成する場合に比べて、中抜きした分の材料のロスを減少させることができる。このような効果は、特に、大型のテレビジョン装置１００において有効である。
【００９０】
また、本実施形態では、ヒートシンク部材３１を、下側枠構成部材３２、横側枠構成部材３３および上側枠構成部材３４よりも熱伝導性に優れた材料により形成することによって、熱伝導性に優れた材料により形成されたヒートシンク部材３１により、ＬＥＤ光源ユニット２４５から発生する熱を効果的に放熱することができる。
【００９１】
また、本実施形態では、表示部２の背面側（Ｙ２方向側）を覆う金属製のリアフレーム４を設けるとともに、ヒートシンク部材３１に絞り部３１７を設け、ヒートシンク部材３１の絞り部３１７を、金属製のリアフレーム４に面接触させて当接させることによって、ＬＥＤ光源ユニット２４５から発生する熱を、ヒートシンク部材３１から金属製のリアフレーム４を介してより効果的に外部に放熱することができる。
【００９２】
また、本実施形態では、ヒートシンク部材３１を、リアフレーム４の背面（Ｙ２方向側面）のカバー部材６から露出された部分の前面（Ｙ１方向側面）に当接させることによって、ＬＥＤ光源ユニット２４５から発生する熱を、ヒートシンク部材３１からリアフレーム４のカバー部材６から露出された部分を介して効率よく外部に放熱することができる。
【００９３】
また、本実施形態では、ヒートシンク部材３１を、下側枠構成部材３２、横側枠構成部材３３および上側枠構成部材３４よりも大きな厚みを有する金属製の板材により形成することによって、ヒートシンク部材３１の熱容量を大きくすることができるので、ＬＥＤ光源ユニット２４５から発生する熱を効果的に放熱することができる。また、下側枠構成部材３２、横側枠構成部材３３および上側枠構成部材３４が、ヒートシンク部材３１より小さな厚みになるので、支持フレーム３の軽量化をさらに図ることができる。
【００９４】
また、本実施形態では、ヒートシンク部材３１を、下側枠構成部材３２、横側枠構成部材３３および上側枠構成部材３４より、短手方向において大きな長さを有するように形成することによって、ヒートシンク部材３１の熱容量を容易に大きくすることができる。また、ヒートシンク部材３１の表面積を大きくすることができる。これにより、ＬＥＤ光源ユニット２４５から発生する熱をより効果的に放熱することができる。
【００９５】
また、本実施形態では、ヒートシンク部材３１および下側枠構成部材３２を、絞り部３１１ａおよび絞り部３２１ａにおいて、互いに当接した状態でネジ３ａにより互いに固定して、横側枠構成部材３３および上側枠構成部材３４を、絞り部３３１ａおよび絞り部３４１ａにおいて、互いに当接した状態でネジ３ｂにより互いに固定して、横側枠構成部材３３および下側枠構成部材３２を、絞り部３３１ｂおよび絞り部３２１ｂにおいて、互いに当接した状態でネジ３ｄにより互いに固定して、ヒートシンク部材３１および上側枠構成部材３４を、絞り部３１１ｂおよび絞り部３４１ｂにおいて、互いに当接した状態でネジ３ｃにより互いに固定することによって、互いに固定される２つの枠構成部材の当接面積を小さくすることができるので、テレビジョン装置１００のスピーカから出力される音に起因する振動を抑制することができる。
【００９６】
また、本実施形態では、ヒートシンク部材３１および下側枠構成部材３２を、フック３１５ａおよびフック係合部３２５ａが係合した状態でネジ３ａによりネジ止めすることにより互いに固定することによって、フック３１５ａおよびフック係合部３２５ａの係合により、ネジ３ａによる締結力に起因してネジ挿入穴３１２ａ以外の位置でヒートシンク部材３１が下側枠構成部材３２に対して浮き上がって傾く（Ａ方向に回転する（図１２参照））ことが抑制される。また、ヒートシンク部材３１および上側枠構成部材３４を、フック３１５ｂおよびフック係合部３４５ｂが係合した状態でネジ３ｃによりネジ止めすることにより互いに固定することによって、フック３１５ｂおよびフック係合部３４５ｂの係合により、ネジ３ｃによる締結力に起因してネジ挿入穴３１２ｂ以外の位置でヒートシンク部材３１が上側枠構成部材３４に対して浮き上がって傾く（Ａ方向に回転する（図１２参照））ことが抑制される。また、横側枠構成部材３３および下側枠構成部材３２を、フック３３５ｂおよびフック係合部３２５ｂが係合した状態でネジ３ｄによりネジ止めすることにより互いに固定することによって、フック３３５ｂおよびフック係合部３２５ｂの係合により、ネジ３ｄによる締結力に起因してネジ挿入穴３３２ｂ以外の位置で横側枠構成部材３３が下側枠構成部材３２に対して浮き上がって傾く（Ｂ方向に回転する（図１３参照））ことが抑制される。また、横側枠構成部材３３および上側枠構成部材３４を、フック３３５ａおよびフック係合部３４５ａが係合した状態でネジ３ｂによりネジ止めすることにより互いに固定することによって、フック３３５ａおよびフック係合部３４５ａの係合により、ネジ３ｂによる締結力に起因してネジ挿入穴３３２ａ以外の位置で横側枠構成部材３３が上側枠構成部材３４に対して浮き上がって傾く（Ｂ方向に回転する（図１３参照））ことが抑制される。これにより、枠形状の支持フレーム３により反射シート２４４が過度に圧迫されてしまうことを抑制することができる。その結果、反射シート２４４の前面側（Ｙ１方向側）に配置された導光板２４３が局所的に圧迫されるのを抑制することができるので、白点ムラの発生を抑制することができる。
【００９７】
また、本実施形態では、フック３１５ａおよびフック係合部３２５ａの係合部分に対してヒートシンク部材３１の長手方向と直交する方向（Ｘ方向）に間隔を隔てて配置されたネジ挿入穴３１２ａおよびネジ穴３２２ａにおいて、ネジ３ａによりネジ止めすることにより、ヒートシンク部材３１および下側枠構成部材３２を互いに固定することによって、ネジ挿入穴３１２ａおよびネジ穴３２２ａに対してヒートシンク部材３１の長手方向と直交する方向（Ｘ方向）に間隔を隔てて配置されたフック３１５ａおよびフック係合部３２５ａの係合による係合力により、ネジ３ａによる締結力に起因してネジ挿入穴３１２ａ以外の位置でヒートシンク部材３１が下側枠構成部材３２に対して浮き上がって傾く（Ａ方向に回転する（図１２参照））方向の力を相殺することができるので、容易にヒートシンク部材３１が下側枠構成部材３２に対して浮き上がって傾く（Ａ方向に回転する（図１２参照））ことを抑制することができる。
【００９８】
また、本実施形態では、フック３１５ａおよびフック係合部３２５ａを、ヒートシンク部材３１および下側枠構成部材３２がネジ挿入穴３１２ａおよびネジ穴３２２ａにおいてネジ３ａによりネジ止めされる方向に係合するように形成することによって、ネジ３ａによるネジ止めによりヒートシンク部材３１が下側枠構成部材３２に対して浮き上がる方向とは逆方向にフック３１５ａおよびフック係合部３２５ａを係合させることができるので、ヒートシンク部材３１が下側枠構成部材３２に対して浮き上がって傾く（Ａ方向に回転する（図１２参照））ことをより容易に抑制することができる。
【００９９】
また、本実施形態では、フック３１５ａを、ヒートシンク部材３１の長手方向（Ｚ方向）に幅Ｗを有して延びるように形成し、ネジ挿入穴３１２ａおよびネジ穴３２２ａを、フック３１５ａに対してヒートシンク部材３１の短手方向（Ｘ方向）に間隔を隔てた位置で、かつ、フック３１５ａの幅Ｗの間に配置することによって、ヒートシンク部材３１が下側枠構成部材３２に対して浮き上がりやすいネジ挿入穴３１２ａおよびネジ穴３２２ａに対してヒートシンク部材３１の短手方向（Ｘ方向）に離れた位置をフック３１５ａの係合により直接抑えることができるので、ヒートシンク部材３１が下側枠構成部材３２に対して捩れて浮き上がることを抑えることができる。これにより、ヒートシンク部材３１が下側枠構成部材３２に対して浮き上がって傾く（Ａ方向に回転する（図１２参照））ことを容易に抑制することができる。また、フック３１５ａをヒートシンク部材３１の長手方向（Ｚ方向）に延びるように形成することによって、フック３１５ａの係合部分のヒートシンク部材３１の長手方向（Ｚ方向）の幅Ｗを大きくすることができるので、ヒートシンク部材３１が下側枠構成部材３２に対して浮き上がろうとする力を安定して相殺することができる。
【０１００】
また、本実施形態では、フック３１５ａおよびフック３１５ｂを、ヒートシンク部材３１に設け、フック３３５ａおよびフック３３５ｂを、横側枠構成部材３３に設け、フック係合部３２５ａおよびフック係合部３２５ｂを、下側枠構成部材３２に設け、フック係合部３４５ａおよびフック係合部３４５ｂを、上側枠構成部材３４に設けることによって、１つの枠構成部材に対する２つのフック係合部分を同様の機構にすることができるので、枠形状の支持フレーム３を容易に組み立てることができる。
【０１０１】
また、本実施形態では、ヒートシンク部材３１および下側枠構成部材３２を、ダボ穴３１４ａ〜３１４ｃとダボ３２４ａ〜３２４ｃとが嵌合した状態でネジ挿入穴３１２ａおよびネジ穴３２２ａにおいてネジ３ａにより締結することにより互いに固定することによって、嵌合しているダボ穴３１４ａ〜３１４ｃおよびダボ３２４ａ〜３２４ｃのうち少なくとも１組の嵌合部分において、ダボ穴３１４ａ〜３１４ｃおよびダボ３２４ａ〜３２４ｃの大きさおよびピッチの公差（寸法ばらつき）に起因する位置ずれなどにより、ダボ穴３１４ａ〜３１４ｃおよびダボ３２４ａ〜３２４ｃの隙間（嵌合隙間）が小さくなるかまたは隙間がなくなる部分が局所的に生じるので、ヒートシンク部材３１が下側枠構成部材３２に対してずれて移動することを抑制することができる。これにより、ヒートシンク部材３１が下側枠構成部材３２に対してネジ３ａを中心として回動（傾斜）して枠形状の支持フレーム３が平行四辺形状などになることを抑制することができるので、枠形状の支持フレーム３により表示部２を安定して支持することができる。
【０１０２】
また、本実施形態では、嵌合しているダボ穴３１４ａ〜３１４ｃおよびダボ３２４ａ〜３２４ｃのうち少なくとも１組を、ダボ穴３１４ａ〜３１４ｃの中心とダボ３２４ａ〜３２４ｃの中心とが、嵌合方向から見て互いにずれた状態で嵌合するように構成することによって、ダボ穴３１４ａ〜３１４ｃおよびダボ３２４ａ〜３２４ｃの隙間が小さくなるかまたは隙間がなくなる部分が生じやすいので、ヒートシンク部材３１が下側枠構成部材３２に対して回動（傾斜）することを容易に抑制することができる。
【０１０３】
また、本実施形態では、ヒートシンク部材３１に、下側枠構成部材３２に対する位置決めを行うための治具穴３１３ａを設け、下側枠構成部材３２に、ヒートシンク部材３１に対する位置決めを行うための治具穴３２３ａを設け、ダボ穴３１４ａ〜３１４ｃを、ヒートシンク部材３１の治具穴３１３ａの周りに所定の間隔を隔てて配置して、ダボ３２４ａ〜３２４ｃを、下側枠構成部材３２の治具穴３２３ａの周りに所定の間隔を隔てて配置することによって、ヒートシンク部材３１および下側枠構成部材３２を治具穴３１３ａおよび治具穴３２３ａにより位置決めして、ダボ穴３１４ａ〜３１４ｃおよびダボ３２４ａ〜３２４ｃを容易に嵌合させることができる。
【０１０４】
また、本実施形態では、ダボ穴３１４ａ〜３１４ｃを、嵌合方向（Ｙ方向）から見て、配置位置が三角形状になるように３つ配置して、ダボ３２４ａ〜３２４ｃを、ダボ穴３１４ａ〜３１４ｃに対応する三角形状の配置位置になるように３つ配置することによって、三角形状に配置されたダボ穴３１４ａ〜３１４ｃおよびダボ３２４ａ〜３２４ｃのピッチの公差（寸法ばらつき）が生じる方向を分散させることができるのでヒートシンク部材３１の下側枠構成部材３２に対する回動を効果的に抑制することができる。
【０１０５】
また、本実施形態では、横側枠構成部材３３に、ダボ穴３３４ａ〜３３４ｃを設け、上側枠構成部材３４に、ダボ３４４ａ〜３４４ｃを設け、横側枠構成部材３３および上側枠構成部材３４を、ダボ穴３３４ａ〜３３４ｃとダボ３４４ａ〜３４４ｃとが互いに隙間を有して嵌合した状態でネジ３ｂにより締結することにより互いに固定することによって、ヒートシンク部材３１、下側枠構成部材３２、横側枠構成部材３３および上側枠構成部材３４を含む枠形状の支持フレーム３において、ヒートシンク部材３１が下側枠構成部材３２に対して回動（傾斜）して枠形状の支持部が平行四辺形状などになることを抑制し、横側枠構成部材３３が上側枠構成部材３４に対して回動（傾斜）して枠形状の支持部が平行四辺形状などになることを抑制することができるので、枠形状の支持フレーム３により表示部２をより安定して支持することができる。
【０１０６】
また、本実施形態では、ヒートシンク部材３１に、ダボ穴３１４ａ〜３１４ｃに対して所定の方向において大きな長さを有する長孔形状のダボ穴３１４ｄ〜３１４ｆを設け、上側枠構成部材３４に、ダボ３４４ｄ〜３４４ｆを設け、横側枠構成部材３３に、ダボ穴３３４ａ〜３３４ｃに対して所定の方向において大きな長さを有する長孔形状のダボ穴３３４ｄ〜３３４ｆを設け、下側枠構成部材３２に、ダボ３２４ｄ〜３２４ｆを設け、ヒートシンク部材３１および上側枠構成部材３４を、長孔形状のダボ穴３１４ｄ〜３１４ｆとダボ３４４ｄ〜３４４ｆとが互いに隙間を有して嵌合した状態でネジ３ｃにより締結することにより互いに固定して、横側枠構成部材３３および下側枠構成部材３２を、長孔形状のダボ穴３３４ｄ〜３３４ｆとダボ３２４ｄ〜３２４ｆとが互いに隙間を有して嵌合した状態でネジ３ｄにより締結することにより互いに固定することによって、ダボ穴３１４ｄ〜３１４ｆおよびダボ３４４ｄ〜３４４ｆの大きさおよびピッチの公差（寸法ばらつき）を長孔形状のダボ穴３１４ｄ〜３１４ｆにより許容することができるので、ダボ穴３１４ｄ〜３１４ｆおよびダボ３４４ｄ〜３４４ｆを確実に嵌合させることができる。また、ダボ穴３３４ｄ〜３３４ｆおよびダボ３２４ｄ〜３２４ｆの大きさおよびピッチの公差（寸法ばらつき）を長孔形状のダボ穴３３４ｄ〜３３４ｆにより許容することができるので、ダボ穴３３４ｄ〜３３４ｆおよびダボ３２４ｄ〜３２４ｆを確実に嵌合させることができる。これにより、ヒートシンク部材３１、下側枠構成部材３２、横側枠構成部材３３および上側枠構成部材３４を含む枠形状の支持部を容易に組み立てることができる。
【０１０７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０８】
たとえば、上記実施形態では、本発明の表示装置の一例としてテレビジョン装置を適用する例を示したが、本発明はこれに限られない。テレビジョン装置以外の表示装置に本発明を適用してもよい。たとえば、ＰＣ（パーソナルコンピュータ）のディスプレイ等に本発明を適用してもよい。
【０１０９】
また、上記実施形態では、ヒートシンク部材（第１枠構成部材）、下側枠構成部材（第２枠構成部材）、横側枠構成部材（第３枠構成部材）および上側枠構成部材（第４枠構成部材）の全てに絞り部（第２絞り部）を設ける例を示したが、本発明はこれに限られない。本発明では、少なくとも１つの枠構成部材に第２絞り部を設けて、第２絞り部が設けられた枠構成部材と、それに固定される枠構成部材とが第２絞り部において当接して固定されていればよい。
【０１１０】
また、上記実施形態では、ヒートシンク部材（第１枠構成部材）を、下側枠構成部材（第２枠構成部材）、横側枠構成部材（第３枠構成部材）および上側枠構成部材（第４枠構成部材）とは異なる材料により形成する例を示したが、本発明はこれに限られない。本発明では、第１枠構成部材、第２枠構成部材、第３枠構成部材および第４枠構成部材を同じ材料により形成してもよい。
【０１１１】
また、上記実施形態では、４つの枠構成部材のうち１つをヒートシンクにより構成する例を示したが、本発明はこれに限られない。本発明では、４つの枠構成部材のうち複数の枠構成部材をヒートシンクにより構成してもよい。
【０１１２】
また、上記実施形態では、４つの枠構成部材のうち１つをヒートシンクにより構成する例を示したが、本発明はこれに限られない。本発明では、ヒートシンクを構成しない枠構成部材のみにより、枠状の支持部を形成してもよい。
【０１１３】
また、上記実施形態では、ヒートシンク部材（第１枠構成部材）、下側枠構成部材（第２枠構成部材）、横側枠構成部材（第３枠構成部材）および上側枠構成部材（第４枠構成部材）が金属により形成されている構成の例を示したが、本発明はこれに限られない。本発明では、第１枠構成部材、第２枠構成部材、第３枠構成部材および第４枠構成部材は、樹脂により形成されていてもよい。たとえば、ポリスチレン樹脂、ＡＢＳ樹脂、または、ポリカーボネートおよびポリスチレンにフィラーを混ぜた樹脂により形成されていてもよい。
【０１１４】
また、上記実施形態では、支持部としての支持フレームが、ヒートシンク部材（第１枠構成部材）、下側枠構成部材（第２枠構成部材）、横側枠構成部材（第３枠構成部材）および上側枠構成部材（第４枠構成部材）を含んでいる構成の例を示したが、本発明はこれに限られない。本発明では、支持部は、少なくとも第１枠構成部材および第２枠構成部材を含んでいれば、４つの部材により構成されていなくてもよい。たとえば、支持部は、枠形状の３辺を有する略Ｕ字形状の部材と略直線形状の部材との２つの部材により構成されていてもよい。また、図１９に示すように、略Ｕ字形状の２つの部材により構成されていてもよいし、図２０に示すように、略Ｌ字形状の２つの部材により構成されていてもよい。
【０１１５】
また、上記実施形態では、ヒートシンク部材（第１枠構成部材）、下側枠構成部材（第２枠構成部材）、横側枠構成部材（第３枠構成部材）および上側枠構成部材（第４枠構成部材）のそれぞれにフック（フック部）またはフック係合部が設けられている例を示したが、本発明はこれに限られない。本発明では、少なくとも第１枠構成部材および第２枠構成部材のいずれか一方に第１フック部を設けるとともに、第１枠構成部材および第２枠構成部材の他方に第１フック係合部を設けていれば、第３枠構成部材および第４枠構成部材のそれぞれにフック部またはフック係合部を設けなくてもよい。
【０１１６】
また、上記実施形態では、フック３１５ａ（第１フック部）およびフック３１５ｂ（第４フック部）をヒートシンク部材（第１枠構成部材）に設け、フック３３５ａ（第３フック部）およびフック３３５ｂ（第２フック部）を横側枠構成部材（第３枠構成部材）に設け、フック係合部３２５ａ（第１フック係合部）およびフック係合部３２５ｂ（第２フック係合部）を下側枠構成部材（第２枠構成部材）に設け、フック係合部３４５ａ（第３フック係合部）およびフック係合部３４５ｂ（第４フック係合部）を上側枠構成部材（第４枠構成部材）に設ける例を示したが、本発明はこれに限られない。本発明では、第１枠構成部材、第２枠構成部材、第３枠構成部材および第４枠構成部材を枠形状に組み立て可能であれば、フック部とフック係合部の両方を備える枠構成部材を含んでいてもよい。
【０１１７】
また、上記実施形態では、フック係合部に貫通孔を形成する例を示したが、本発明はこれに限られない。本発明では、たとえば、フック係合部は、板金を切り起こして形成してもよいし、板金の端部を切り欠いて形成してもよい。
【０１１８】
また、上記実施形態では、ヒートシンク部材（第１枠構成部材）、下側枠構成部材（第２枠構成部材）、横側枠構成部材（第３枠構成部材）および上側枠構成部材（第４枠構成部材）のそれぞれにダボ穴（凹部）またはダボ（凸部）が設けられている例を示したが、本発明はこれに限られない。本発明では、少なくとも第１枠構成部材に第１凹部を設けるとともに、第２枠構成部材に第１凸部を設けていれば、第３枠構成部材および第４枠構成部材のそれぞれに凹部または凸部を設けなくてもよい。
【０１１９】
また、上記実施形態では、ダボ穴３１４ａ〜３１４ｃ（第１凹部）およびダボ穴３３４ａ〜３３４ｃ（第２凹部）を円形形状の貫通孔により構成する例を示したが、本発明はこれに限られない。本発明では、第１凹部および第２凹部を円形形状以外の形状に形成してもよい。たとえば、第１凹部および第２凹部は、楕円形状や四角形状などでもよい。また、第１凹部および第２凹部を貫通孔にしなくてもよい。たとえば、第１凹部および第２凹部は、へこみや切り欠きなどでもよい。
【０１２０】
また、上記実施形態では、ダボ穴３１４ａ〜３１４ｃ（第１凹部）およびダボ３２４ａ〜３２４ｃ（第１凸部）を、それぞれ３つずつ設け、嵌合方向から見て配置位置が三角形状になるように配置する例を示したが、本発明はこれに限られない。本発明では、第１凹部および第１凸部を、それぞれ、２つずつ設けてもよいし、４つ以上ずつ設けてもよい。また、４つ以上設けた場合、嵌合方向から見て配置位置が多角形形状になるように配置してもよい。
【符号の説明】
【０１２１】
２  表示部
３  支持フレーム（支持部）
３ａ  ネジ（締結部材、第１締結部材）
３ｂ  ネジ（締結部材、第２締結部材）
３ｃ  ネジ（締結部材、第３締結部材）
３ｄ  ネジ（締結部材、第４締結部材）
４  リアフレーム
６  カバー部材
３１  ヒートシンク部材（第１枠構成部材）
３２  下側枠構成部材（第２枠構成部材）
３３  横側枠構成部材（第３枠構成部材）
３４  上側枠構成部材（第４枠構成部材）
１００  テレビジョン装置（表示装置）
２４４  反射シート
２４５  ＬＥＤ光源ユニット（光源）
３１１ａ、３１１ｂ、３２１ａ、３２１ｂ、３３１ａ、３３１ｂ、３４１ａ、３４１ｂ  絞り部（第２絞り部）
３１２ａ  ネジ挿入穴（第１締結部、ネジ締結部）
３１３ａ  治具穴（第１位置決め部）
３１４ａ、３１４ｂ、３１４ｃ  ダボ穴（第１凹部）
３１４ｄ、３１４ｅ、３１４ｆ  ダボ穴（第３凹部）
３１５ａ  フック（第１フック部）
３１５ｂ  フック（第４フック部）
３１７  絞り部（第１絞り部）
３２２ａ  ネジ穴（第１締結部、ネジ締結部）
３２３ａ  治具穴（第２位置決め部）
３２４ａ、３２４ｂ、３２４ｃ  ダボ（第１凸部）
３２４ｄ、３２４ｅ、３２４ｆ  ダボ（第４凸部）
３２５ａ  フック係合部（第１フック係合部）
３２５ｂ  フック係合部（第２フック係合部）
３３４ａ、３３４ｂ、３３４ｃ  ダボ穴（第２凹部）
３３４ｄ、３３４ｅ、３３４ｆ  ダボ穴（第４凹部）
３３５ａ  フック（第３フック部）
３３５ｂ  フック（第２フック部）
３４４ａ、３４４ｂ、３４４ｃ  ダボ（第２凸部）
３４４ｄ、３４４ｅ、３４４ｆ  ダボ（第３凸部）
３４５ａ  フック係合部（第３フック係合部）
３４５ｂ  フック係合部（第４フック係合部）
【図１】
2013122572.tif 000003
【図２】
2013122572.tif 000004
【図３】
2013122572.tif 000005
【図４】
2013122572.tif 000006
【図５】
2013122572.tif 000007
【図６】
2013122572.tif 000008
【図７】
2013122572.tif 000009
【図８】
2013122572.tif 000010
【図９】
2013122572.tif 000011
【図１０】
2013122572.tif 000012
【図１１】
2013122572.tif 000013
【図１２】
2013122572.tif 000014
【図１３】
2013122572.tif 000015
【図１４】
2013122572.tif 000016
【図１５】
2013122572.tif 000017
【図１６】
2013122572.tif 000018
【図１７】
2013122572.tif 000019
【図１８】
2013122572.tif 000020
【図１９】
2013122572.tif 000021
【図２０】
2013122572.tif 000022